(57)【特許請求の範囲】
【請求項１】
少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、
前記感光層が、下記一般式（１）で表されるナフタレンテトラカルボン酸ジイミド誘導体を含有し、
前記感光層が、ナフタレンテトラカルボン酸ジイミド誘導体以外の電荷輸送物質を含有し、
前記電荷輸送物質が、下記一般式（２）で表される誘導体であることを特徴とするフルカラー電子写真装置。
【化１】
0005392461.tif 000076
［式（１）中、Ｒ1、Ｒ2、Ｒ3、Ｒ4は置換もしくは無置換のアルキル基、置換もしくは無置換の芳香族炭化水素基を表し、Ｒ1〜Ｒ4はそれぞれ同一でも異なっていてもよい。Ｒ5、Ｒ6、Ｒ7、Ｒ8は、水素原子、置換もしくは無置換のアルキル基、置換もしくは無置換の芳香族炭化水素基を表し、Ｒ5〜Ｒ8はそれぞれ同一でも異なっていてもよい。また、Ｒ1とＲ2およびＲ3とＲ4は互いに結合し、窒素原子を含む置換もしくは無置換の複素環基を形成してもよい。］
【化２】
0005392461.tif 000077
［式（２）中、Ｘは単結合もしくはビニレン基を表し、Ｒ1は水素原子、置換もしくは無置換のアルキル基または置換もしくは無置換の芳香族炭化水素基を表し、Ａｒ1は置換もしくは無置換の芳香族炭化水素基を表し、Ｒ5は水素原子、置換もしくは無置換のアルキル基、あるいは置換もしくは無置換の芳香族炭化水素基を表し、Ａｒ1とＲ5は共同で環を形成してもよい。Ａは９−アントリル基または置換もしくは無置換のカルバゾリル基、または下記一般式（３）、一般式（４）：
【化３】
0005392461.tif 000078
〔式（３）、（４）中、Ｒ2は水素原子、アルキル基、アルコキシ基、ハロゲン原子または下記一般式（５）：
【化４】
0005392461.tif 000079
（ただし式（５）中、Ｒ3およびＲ4は置換もしくは無置換のアルキル基、置換もしくは無置換の芳香族炭化水素基を示し、Ｒ3およびＲ4は同じでも異なっていてもよく、環を形成してもよい。）を表す。ｍは１〜３の整数を表し、２以上の時Ｒ2は同一でも異なってもよい。〕を表す。］
【請求項２】
少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、
前記感光層が、下記一般式（１）で表されるナフタレンテトラカルボン酸ジイミド誘導体を含有し、
前記感光層が、ナフタレンテトラカルボン酸ジイミド誘導体以外の電荷輸送物質を含有し、
前記電荷輸送物質が、下記一般式（６）で表される誘導体であることを特徴とするフルカラー電子写真装置。
【化５】
0005392461.tif 000080
［式（１）中、Ｒ1、Ｒ2、Ｒ3、Ｒ4は置換もしくは無置換のアルキル基、置換もしくは無置換の芳香族炭化水素基を表し、Ｒ1〜Ｒ4はそれぞれ同一でも異なっていてもよい。Ｒ5、Ｒ6、Ｒ7、Ｒ8は、水素原子、置換もしくは無置換のアルキル基、置換もしくは無置換の芳香族炭化水素基を表し、Ｒ5〜Ｒ8はそれぞれ同一でも異なっていてもよい。また、Ｒ1とＲ2およびＲ3とＲ4は互いに結合し、窒素原子を含む置換もしくは無置換の複素環基を形成してもよい。］
【化６】
0005392461.tif 000081
［式（６）中、Ｒ1、Ｒ3およびＲ4は水素原子、アミノ基、アルコキシ基、チオアルコキシ基、アリールオキシ基、メチレンジオキシ基、置換もしくは無置換のアルキル基、ハロゲン原子または置換もしくは無置換の芳香族炭化水素基を、Ｒ2は水素原子、アルコキシ基、置換もしくは無置換のアルキル基またはハロゲン原子を表す。また、ｋ，ｌ，ｍおよびｎは１、２、３または４の整数であり、それぞれが２、３または４の整数の時は、前記Ｒ1、Ｒ2、Ｒ3およびＲ4は同じでも異なっていてもよい。］
【請求項３】
少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、
前記感光層が、ナフタレンテトラカルボン酸ジイミド誘導体以外の電荷輸送物質を含有し、
前記感光層が、下記一般式（１）で表されるナフタレンテトラカルボン酸ジイミド誘導体を含有し、
前記感光層が、ナフタレンテトラカルボン酸ジイミド誘導体以外の電荷輸送物質を含有し、
前記電荷輸送物質が、下記一般式（７）で表される誘導体であることを特徴とするフルカラー電子写真装置。
【化７】
0005392461.tif 000082
［式（１）中、Ｒ1、Ｒ2、Ｒ3、Ｒ4は置換もしくは無置換のアルキル基、置換もしくは無置換の芳香族炭化水素基を表し、Ｒ1〜Ｒ4はそれぞれ同一でも異なっていてもよい。Ｒ5、Ｒ6、Ｒ7、Ｒ8は、水素原子、置換もしくは無置換のアルキル基、置換もしくは無置換の芳香族炭化水素基を表し、Ｒ5〜Ｒ8はそれぞれ同一でも異なっていてもよい。また、Ｒ1とＲ2およびＲ3とＲ4は互いに結合し、窒素原子を含む置換もしくは無置換の複素環基を形成してもよい。］
【化８】
0005392461.tif 000083
［式（７）中、Ｘは単結合もしくはビニレン基を表し、Ｒ1は水素原子、置換もしくは無置換のアルキル基または置換もしくは無置換の芳香族炭化水素基を表し、Ａｒ1は置換もしくは無置換の芳香族炭化水素基を表し、Ｒ3は水素原子、置換もしくは無置換のアルキル基、あるいは置換もしくは無置換の芳香族炭化水素基を表し、Ａｒ1とＲ3は共同で環を形成してもよい。Ａｒ2は下記一般式（８）または一般式（９）：
【化９】
0005392461.tif 000084
〔式（８）、（９）中、Ｒ2は水素原子、アルキル基、アルコキシ基、ハロゲン原子を表し、ｍは１〜３の整数を表し、２以上の時Ｒ2は同一でも異なってもよい。〕を表す。またＲ4は置換もしくは無置換のアルキル基、または置換もしくは無置換の芳香族炭化水素基を表す。］
【請求項４】
少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、
前記感光層が、下記一般式（１）で表されるナフタレンテトラカルボン酸ジイミド誘導体を含有し、
前記感光層が、ナフタレンテトラカルボン酸ジイミド誘導体以外の電荷輸送物質を含有し、
前記電荷輸送物質が、下記一般式（１０）で表される誘導体であることを特徴とするフルカラー電子写真装置。
【化１０】
0005392461.tif 000085
［式（１）中、Ｒ1、Ｒ2、Ｒ3、Ｒ4は置換もしくは無置換のアルキル基、置換もしくは無置換の芳香族炭化水素基を表し、Ｒ1〜Ｒ4はそれぞれ同一でも異なっていてもよい。Ｒ5、Ｒ6、Ｒ7、Ｒ8は、水素原子、置換もしくは無置換のアルキル基、置換もしくは無置換の芳香族炭化水素基を表し、Ｒ5〜Ｒ8はそれぞれ同一でも異なっていてもよい。また、Ｒ1とＲ2およびＲ3とＲ4は互いに結合し、窒素原子を含む置換もしくは無置換の複素環基を形成してもよい。］
【化１１】
0005392461.tif 000086
［式（１０）中、Ｘは単結合もしくはビニレン基を表し、Ｒ1は水素原子、置換もしくは無置換のアルキル基または置換もしくは無置換の芳香族炭化水素基を表し、Ａｒ1は置換もしくは無置換の２価の芳香族炭化水素基を表し、Ｒ5は水素原子、置換もしくは無置換のアルキル基、あるいは置換もしくは無置換の芳香族炭化水素基を表し、Ａは９−アントリル基または置換もしくは無置換のカルバゾリル基、または下記一般式（３）、一般式（４）：
【化１２】
0005392461.tif 000087
〔式（３）、（４）中、Ｒ2は水素原子、アルキル基、アルコキシ基、ハロゲン原子または下記一般式（５）：
【化１３】
0005392461.tif 000088
（ただし式（５）中、Ｒ3およびＲ4は置換もしくは無置換のアルキル基、置換もしくは無置換の芳香族炭化水素基を示し、Ｒ3およびＲ4は同じでも異なっていてもよく、環を形成してもよい。）を表す。ｍは１〜３の整数を表し、２以上の時Ｒ2は同一でも異なってもよい。〕を表す。］
【請求項５】
前記感光層が、導電性支持体上に電荷発生物質を含む電荷発生層と電荷輸送物質を含む電荷輸送層を積層した積層型であることを特徴とする請求項１乃至４のいずれかに記載のフルカラー電子写真装置。
【請求項６】
前記電荷輸送層中に、少なくとも前記一般式（１）で表されるナフタレンテトラカルボン酸ジイミド誘導体を含む電荷輸送物質と結着樹脂が含有され、前記結着樹脂の重量総和が前記電荷輸送物質の重量総和よりも多いことを特徴とする請求項５に記載のフルカラー電子写真装置。
【請求項７】
前記感光層が、電荷発生物質と電荷輸送物質を同時に含む単層型であることを特徴とする請求項項１乃至４のいずれかに記載のフルカラー電子写真装置。
【請求項８】
前記電荷発生物質と電荷輸送物質を同時に含む単層型の感光層中に、少なくとも前記一般式（１）で表されるナフタレンテトラカルボン酸ジイミド誘導体を含む電荷輸送物質と結着樹脂が含有され、前記結着樹脂の重量総和が前記電荷輸送物質の重量総和よりも多いことを特徴とする請求項７に記載のフルカラー電子写真装置。
【請求項９】
前記画像形成要素が、少なくとも導電性支持体上に感光層を有する感光体と、帯電手段、現像手段およびクリ−ニング手段からなる群から選ばれた一つの手段とを一体に支持し電子写真装置本体に着脱自在な構成としたプロセスカートリッジであることを特徴とする請求項１乃至８のいずれかに記載のフルカラー電子写真装置。
【請求項１０】
前記画像形成要素を複数配列したフルカラー電子写真装置が、感光体上に現像された複数色のトナー画像を中間転写体上に順次重ね合わせてカラー画像を一次転写した後、該カラー画像を受像媒体上に一括で二次転写する中間転写手段を有することを特徴とする請求項１乃至８のいずれかに記載のフルカラー電子写真装置。
【発明の詳細な説明】
【技術分野】
【０００１】
本発明は、電子写真方式で画像を形成する複写機、ファクシミリ、レーザープリンター、ダイレクトデジタル製版機等の電子写真装置に関し、詳しくは、繰り返し使用に対しても耐久性が高く長期間品質の安定したフルカラー画像を高速で形成可能なタンデム方式のフルカラー用電子写真装置に関する。
【背景技術】
【０００２】
電子写真方式を利用したフルカラー画像形成装置としては、一般的には２つの方式が知られている。
１つはシングル方式あるいはシングルドラム方式呼ばれるものであり、装置中に１つの電子写真感光体が搭載され、４色の現像部材が搭載されたものである。この方式においては、感光体上もしくは被転写部材（出力用の紙に直接、あるいは中間転写体に一旦転写され、その後に紙に転写される）に４色（シアン、マゼンタ、イエローおよびブラック）のトナー像が形成される。この場合、感光体の周りに配置される帯電部材、露光部材、転写部材、クリーニング部材、定着部材は共通化することが可能で、後述のタンデム方式に比べ、小型で、低コストに設計することが可能である。
【０００３】
一方、もう１つの方式としてタンデム方式あるいはタンデムドラム方式と呼ばれるものがある。これは、少なくとも装置中に複数の電子写真感光体が搭載されたものである。一般的には、１本のドラムに対し、帯電、露光、現像、クリーニングの各部材が１つずつ配置され、１つの電子写真要素を形成し、これが複数個（一般的には４つ）搭載されている。この方式においては、１つの電子写真要素で１色のトナー像を形成し、順次、被転写体にトナー像を転写し、フルカラー像を形成する。
【０００４】
タンデム方式のメリットは、第１に高速画像形成が可能であることが挙げられる。これは上述のように、各色のトナー像を並列処理にて作製できるためである。したがって、シングル方式に比べ、画像形成処理時間がおよそ４分の１の時間で済み、４倍の高速プリントに対応が可能になる。第２のメリットは、感光体をはじめとする前記電子写真要素中に具備された各部材の耐久性を実質的に高められると言うことである。これは、シングル方式においては、１本の感光体で４回の帯電、露光、現像の各工程を行い、１つのフルカラー像を形成するのに対し、タンデム方式では上記動作を１本で１回しか行わないためである。
【０００５】
ところが、タンデム方式では装置全体が大きくなってしまうことや、コストが高いものになってしまうというデメリットも併せ持っている。装置全体が大きくなる点に関しては、感光体を小径化し、感光体周りに設置される各部材を小型化し、１つの電子写真要素を小さくすることで対応が行われてきた。このような対応により、装置の小型化のみならず材料費の低減などの効果も生じ、装置全体としての低コスト化も多少進んだ。しかしながら、装置のコンパクト化・小型化に伴い、電子写真要素に搭載された感光体を高感度とし且つ安定性を大幅に上げなければならないという、新しい課題も新たに発生した。
【０００６】
一般に電子写真感光体は、繰返し使用により帯電性の低下や感度の低下、もしくは露光部電位の上昇などを生じる。例えば、残留電位の上昇に対応する技術として、感光層に正孔輸送材料と共に特定構造を有するジフェノキノン系化合物を含有させる手法（例えば、特許文献１参照。）や、特定構造を有するナフトキノン誘導体を含有させる手法（例えば、特許文献２参照。）が提案されている。
【０００７】
前述のように、フルカラー電子写真装置において画像形成要素を複数配列させるタンデム方式の目的は第一に高速プリントが可能になる点であり、これが第一の利点と言える。この利点を生かすためには画像形成のプロセスを高速に行う必要があり、そのためには用いる感光体の感度、即ち帯電状態から露光された場合に速やかに光減衰する必要があると共に、繰返し使用時においてもこの光減衰特性が安定して維持される必要がある。
【０００８】
特に画像形成要素を複数配列させるタンデム方式のフルカラー電子写真装置においては、使用するユーザーの出力する色の割合により特定の色（例えば、黒色のみ）が多くなる場合が一般に多く、各感光体の負荷が一様にならないという問題が生じる。このような場合、一部の感光体のみの光減衰特性が劣化して繰返し使用時において色を重ねたフルカラー画像を出力した場合の色調に変化が生じてしまう。
また長期にわたる繰り返し使用時においては帯電装置から発生する酸化性ガスの影響により感光体の感光層が化学的に劣化するという問題が生じ、解像度低下や画像流れなどの異常画像発生の要因となってしまう。
このように感光体の繰返し使用時の特性が安定しないと出力される画像品質に問題が生じ長期にわたる繰返し使用時においては画像形成に際して、色調変化、地肌汚れなどの異常画像が発生し大きな問題となっていた。
【０００９】
なお先に本出願人は、繰り返し使用に対しても品質の安定したフルカラー画像を高速で形成する手法として、支持体上に特定のイミド構造を有する電荷輸送物質を含有する静電潜像担持体と、静電潜像形成手段、現像手段、転写手段とを少なくとも有する画像形成要素を複数配列した高耐久な画像形成装置と画像形成方法を提案した（例えば、特許文献３参照。）。
【００１０】
【特許文献１】特開平６−１３０６８８号公報
【特許文献２】特許第３４７１１６３号公報
【特許文献３】特開２００７−２６４５８９号公報
【発明の開示】
【発明が解決しようとする課題】
【００１１】
本発明は上記従来技術に鑑みてなされたものであり、目的とするところは、長期間にわたって各色に対応した電子写真感光体（感光体）の使用状況の多寡に依らず高速で安定した光減衰特性が維持され、しかも酸化性ガスなどに対する環境耐性にも優れ、繰返し使用においても、高耐久で異常画像（例えば、色調変化、地肌汚れ、解像度低下、画像流れなど）の発生がなく、品質の安定したフルカラー画像を高速で形成可能なタンデム方式のフルカラー電子写真装置を提供することにある。また、装置のコスト低減を図ることを目標にする。
【課題を解決するための手段】
【００１２】
本発明者らは過去に行われてきた結果を踏まえ鋭意検討を重ねた結果、高速フルカラー対応の高画質で高耐久な電子写真装置を満足するためには、以下の条件が必要不可欠であることが分かった。
つまり、高速対応とするには先ず、電子写真要素を複数個備えたタンデム型電子写真装置、いわゆる画像形成装置であることが不可欠であり、これを高速化、高安定化するためには、タンデム型を構成する各感光体の光減衰特性が高速で且つ安定している必要がある。具体的には、各色に対応した感光体の使用状況の多寡に依らず、複数の感光体の光減衰特性が、長期間の繰返し使用後においても一様に変化の少ないことが必要である。このためには、感光層を形成している主材料、特に電荷輸送物質を見直す必要がある。
すなわち、本発明者らは、少なくとも導電性支持体上に感光層を有する感光体と、この感光体の表面を一様に帯電する帯電手段と、一様帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、前記感光層の電荷輸送物質として特定構造を有するナフタレンテトラカルボン酸ジイミド誘導体を用いることにより、従来のナフタレンテトラカルボン酸ジイミド誘導体（例えば、特開２００７−２６４５８９号公報）に比べて塗工溶液とする際の溶解性などが極めて優れており、感光層の形成が均一且つ容易に実施でき、しかも効果的に高速、高耐久の電子写真装置を実現することが可能であることを見い出し、以下の〔１〕〜〔１０〕に記載する発明によって上記課題を解決するに至った。以下、本発明について具体的に説明する。
なお、本発明において記載する「感光層」は後述のように単層型あるいは積層型の構成が含まれ、「感光層が、一般式（１）で表されるナフタレンテトラカルボン酸ジイミド誘導体を含有する」とは、積層型においては感光層を構成する電荷輸送層に少なくとも含有することを意味するものである。
【００１３】
〔１〕：上記課題は、少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、
前記感光層が、下記一般式（１）で表されるナフタレンテトラカルボン酸ジイミド誘導体を含有し、前記感光層が、ナフタレンテトラカルボン酸ジイミド誘導体以外の電荷輸送物質を含有し、前記電荷輸送物質が、下記一般式（２）で表される誘導体であることを特徴とするフルカラー電子写真装置により解決される。
【００１４】
【化１】
0005392461.tif 000002
【００１５】
［式（１）中、Ｒ1、Ｒ2、Ｒ3、Ｒ4は置換もしくは無置換のアルキル基、置換もしくは無置換の芳香族炭化水素基を表し、Ｒ1〜Ｒ4はそれぞれ同一でも異なっていてもよい。Ｒ5、Ｒ6、Ｒ7、Ｒ8は、水素原子、置換もしくは無置換のアルキル基、置換もしくは無置換の芳香族炭化水素基を表し、Ｒ5〜Ｒ8はそれぞれ同一でも異なっていてもよい。また、Ｒ1とＲ2およびＲ3とＲ4は互いに結合し、窒素原子を含む置換もしくは無置換の複素環基を形成してもよい。］
【００１７】
ナフタレンテトラカルボン酸ジイミド誘導体以外の電荷輸送物質を含有させることによって、感光層（あるいは、電荷輸送層）の電荷輸送能を調整することができ、フルカラー電子写真装置に搭載される感光体の要求所要特性への適合化を図ることができる。
【００１９】
【化２】
0005392461.tif 000003
【００２０】
［式（２）中、Ｘは単結合もしくはビニレン基を表し、Ｒ1は水素原子、置換もしくは無置換のアルキル基または置換もしくは無置換の芳香族炭化水素基を表し、Ａｒ1は置換もしくは無置換の芳香族炭化水素基を表し、Ｒ5は水素原子、置換もしくは無置換のアルキル基、あるいは置換もしくは無置換の芳香族炭化水素基を表し、Ａｒ1とＲ5は共同で環を形成してもよい。Ａは９−アントリル基または置換もしくは無置換のカルバゾリル基、または下記一般式（３）、一般式（４）：
【００２１】
【化３】
0005392461.tif 000004
【００２２】
〔式（３）、（４）中、Ｒ2は水素原子、アルキル基、アルコキシ基、ハロゲン原子または下記一般式（５）：
【００２３】
【化４】
0005392461.tif 000005
【００２４】
（ただし式（５）中、Ｒ3およびＲ4は置換もしくは無置換のアルキル基、置換もしくは無置換の芳香族炭化水素基を示し、Ｒ3およびＲ4は同じでも異なっていてもよく、環を形成してもよい。）を表す。ｍは１〜３の整数を表し、２以上の時Ｒ2は同一でも異なってもよい。〕を表す。］
【００２５】
〔２〕：少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、前記感光層が、前記一般式（１）で表されるナフタレンテトラカルボン酸ジイミド誘導体を含有し、前記感光層が、ナフタレンテトラカルボン酸ジイミド誘導体以外の電荷輸送物質を含有し、前記電荷輸送物質が、下記一般式（６）で表される誘導体であることを特徴とする。
【００２６】
【化５】
0005392461.tif 000006
【００２７】
［式（６）中、Ｒ1、Ｒ3およびＲ4は水素原子、アミノ基、アルコキシ基、チオアルコキシ基、アリールオキシ基、メチレンジオキシ基、置換もしくは無置換のアルキル基、ハロゲン原子または置換もしくは無置換の芳香族炭化水素基を、Ｒ2は水素原子、アルコキシ基、置換もしくは無置換のアルキル基またはハロゲン原子を表す。また、ｋ，ｌ，ｍおよびｎは１、２、３または４の整数であり、それぞれが２、３または４の整数の時は、前記Ｒ1、Ｒ2、Ｒ3およびＲ4は同じでも異なっていてもよい。］
【００２８】
〔３〕：少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、前記感光層が、前記一般式（１）で表されるナフタレンテトラカルボン酸ジイミド誘導体を含有し、前記感光層が、ナフタレンテトラカルボン酸ジイミド誘導体以外の電荷輸送物質を含有し、前記電荷輸送物質が、下記一般式（７）で表される誘導体であることを特徴とする。
【００２９】
【化６】
0005392461.tif 000007
【００３０】
［式（７）中、Ｘは単結合もしくはビニレン基を表し、 Ｒ1は水素原子、置換もしくは無置換のアルキル基または置換もしくは無置換の芳香族炭化水素基を表し、Ａｒ1は置換もしくは無置換の芳香族炭化水素基を表し、Ｒ3は水素原子、置換もしくは無置換のアルキル基、あるいは置換もしくは無置換の芳香族炭化水素基を表し、Ａｒ1とＲ3は共同で環を形成してもよい。Ａｒ2は下記一般式（８）または一般式（９）：
【００３１】
【化７】
0005392461.tif 000008
【００３２】
〔式（８）、（９）中、Ｒ2は水素原子、アルキル基、アルコキシ基、ハロゲン原子を表し、ｍは１〜３の整数を表し、２以上の時Ｒ2は同一でも異なってもよい。〕を表す。またＲ4は置換もしくは無置換のアルキル基、または置換もしくは無置換の芳香族炭化水素基を表す。］
【００３３】
〔４〕：少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、前記感光層が、前記一般式（１）で表されるナフタレンテトラカルボン酸ジイミド誘導体を含有し、前記感光層が、ナフタレンテトラカルボン酸ジイミド誘導体以外の電荷輸送物質を含有し、前記電荷輸送物質が、下記一般式（１０）で表される誘導体であることを特徴とする。
【００３４】
【化８】
0005392461.tif 000009
【００３５】
［式（１０）中、Ｘは単結合もしくはビニレン基を表し、 Ｒ1は水素原子、置換もしくは無置換のアルキル基または置換もしくは無置換の芳香族炭化水素基を表し、Ａｒ1は置換もしくは無置換の２価の芳香族炭化水素基を表し、Ｒ5は水素原子、置換もしくは無置換のアルキル基、あるいは置換もしくは無置換の芳香族炭化水素基を表し、Ａは９−アントリル基または置換もしくは無置換のカルバゾリル基、または下記一般式（３）、一般式（４）：
【００３６】
【化９】
0005392461.tif 000010
【００３７】
〔式（３）、（４）中、Ｒ2は水素原子、アルキル基、アルコキシ基、ハロゲン原子または下記一般式（５）：
【００３８】
【化１０】
0005392461.tif 000011
【００３９】
（ただし式（５）中、Ｒ3およびＲ4は置換もしくは無置換のアルキル基、置換もしくは無置換の芳香族炭化水素基を示し、Ｒ3およびＲ4は同じでも異なっていてもよく、環を形成してもよい。）を表す。ｍは１〜３の整数を表し、２以上の時Ｒ2は同一でも異なってもよい。〕を表す。］
【００４０】
〔１〕乃至〔４〕の電荷輸送物質を含有させることにより前記一般式（１）で表されるナフタレンテトラカルボン酸ジイミド誘導体と相俟って感光層（あるいは電荷輸送層）の電荷輸送能を好適なものに調整することができる。
【００４１】
〔５〕：本発明のフルカラー電子写真装置において、前記感光層が、導電性支持体上に電荷発生物質を含む電荷発生層と電荷輸送物質を含む電荷輸送層を積層した積層型であることを特徴とする。
【００４２】
〔６〕：本発明のフルカラー電子写真装置において、前記電荷輸送層中に、少なくとも前記一般式（１）で表されるナフタレンテトラカルボン酸ジイミド誘導体を含む電荷輸送物質と結着樹脂が含有され、前記結着樹脂の重量総和が前記電荷輸送物質の重量総和よりも多いことを特徴とする。
【００４３】
積層型とすることによって電荷発生機能と電荷輸送機能が分離され、所望の感光体特性が確実かつ効率良く発揮される。
また、積層型において電荷輸送層の構成において、一般式（１）で表されるナフタレンテトラカルボン酸ジイミド誘導体を含む電荷輸送物質の重量総和と、電荷輸送層中に含まれる結着樹脂の重量総和において、結着樹脂の重量の総和を多くすることにより摩耗量をより少なくし、繰り返し使用後の画質を安定させるという効果が得られる。
【００４４】
〔７〕：本発明のフルカラー電子写真装置において、前記感光層が、電荷発生物質と電荷輸送物質を同時に含む単層型であることを特徴とする。
【００４５】
〔８〕：本発明のフルカラー電子写真装置において、前記電荷発生物質と電荷輸送物質を同時に含む単層型の感光層中に、少なくとも前記一般式（１）で表されるナフタレンテトラカルボン酸ジイミド誘導体を含む電荷輸送物質と結着樹脂が含有され、前記結着樹脂の重量総和が前記電荷輸送物質の重量総和よりも多いことを特徴とする。
【００４６】
単層型とすれば、感光層の形成が簡便且つ容易となり、また電荷発生物質が感光層全体に存在することから表層近傍から電荷発生が生じ、電荷移動距離が短くなり電荷拡散が小さくなることから緻密な潜像が得られることにより高画質化に有利となる。加えて感光体の生産性が向上し、コスト削減においても有利である。
また、単層型の構成において、感光層に含まれる一般式（１）で表されるナフタレンテトラカルボン酸ジイミド誘導体を含む電荷輸送物質の重量総和と、感光層中に含まれる結着樹脂の重量の総和において、結着樹脂の重量総和を多くすることにより摩耗量をより少なくし、繰り返し使用後の画質を安定させるという効果が得られる。
【００４７】
〔９〕：本発明のフルカラー電子写真装置において、前記画像形成要素が、少なくとも導電性支持体上に感光層を有する感光体と、帯電手段、現像手段およびクリ−ニング手段からなる群から選ばれた一つの手段とを一体に支持し電子写真装置本体に着脱自在な構成としたプロセスカートリッジであることを特徴とする。
【００４８】
プロセスカートリッジ構成とすれば、高耐久かつ高安定な画像出力が可能で、しかも取扱いが良好でありメンテナンス性が向上する。
【００４９】
〔１０〕：本発明のフルカラー電子写真装置において、前記画像形成要素を複数配列したフルカラー電子写真装置が、感光体上に現像された複数色のトナー画像を中間転写体上に順次重ね合わせてカラー画像を一次転写した後、該カラー画像を受像媒体上に一括で二次転写する中間転写手段を有することを特徴とする。
【００５０】
カラー画像を受像媒体上に一括で二次転写する中間転写手段を有する構成とすれば、色ずれの少ない高品質なフルカラー画像を非常に高速に長期間繰返し安定して出力することができ、異常画像の発生がない高品質画像が形成できる。
【発明の効果】
【００５１】
本発明のフルカラー電子写真装置によれば、感光層に特定構造を有するナフタレンテトラカルボン酸ジイミド誘導体を含有する（感光層が積層構成の場合には、少なくとも電荷輸送層に含有する。）ことにより、繰り返し使用においても各感光体の光減衰特性が高速で且つ安定しており（各色に対応した感光体の使用状況の多寡に依らない。）、感度低下や露光部電位上昇などを招くことなく、良好な光応答性と十分な静電的コントラストが得られ、酸化性ガスなどに対する環境耐性も大幅に向上するため、高耐久性であり、長期にわたって高解像度で品質の安定した高画質画像（例えば、色調変化、地肌汚れ、解像度低下、画像流れなどの発生がない。）の形成が可能である。これにより、例えば、高速プリントにより画像を形成する電子写真方式の複写機、ファクシミリ、レーザープリンター、ダイレクトデジタル製版機等に適用することができる。感光層の形成は、ナフタレンテトラカルボン酸ジイミド誘導体を含有する適当な溶媒に溶解乃至分散して調製した塗布溶液を用い、これを塗布、乾燥することにより容易に且つ均一に形成することができ、さらにナフタレンテトラカルボン酸ジイミド誘導体を含有することにより、感光体の小径化が実現し、電子写真要素を小型化可能とすると共に材料費の低減が図れ、装置のコスト低減にも貢献することができる。
【発明を実施するための最良の形態】
【００５２】
前述のように本発明におけるフルカラー電子写真装置は、少なくとも導電性支持体上に感光層を有する感光体と、この感光体の表面を帯電する帯電手段と、帯電された感光体表面に像露光を行い静電潜像を形成する像露光手段と、形成された静電潜像にトナーを付着させて現像する現像手段と、現像されたトナー像を受像媒体に転写させる転写手段とを少なくとも具備してなる画像形成要素を複数配列したフルカラー電子写真装置において、
前記感光層が、下記一般式（１）で表されるナフタレンテトラカルボン酸ジイミド誘導体を含有することを特徴とするものである。
【００５３】
【化１１】
0005392461.tif 000012
【００５４】
［式（１）中、Ｒ1、Ｒ2、Ｒ3、Ｒ4は置換もしくは無置換のアルキル基、置換もしくは無置換の芳香族炭化水素基を表し、Ｒ1〜Ｒ4はそれぞれ同一でも異なっていてもよい。Ｒ5、Ｒ6、Ｒ7、Ｒ8は、水素原子、置換もしくは無置換のアルキル基、置換もしくは無置換の芳香族炭化水素基を表し、Ｒ5〜Ｒ8はそれぞれ同一でも異なっていてもよい。また、Ｒ1とＲ2およびＲ3とＲ4は互いに結合し、窒素原子を含む置換もしくは無置換の複素環基を形成してもよい。］
【００５５】
前述のように、一般に電子写真感光体は、繰返し使用により帯電性の低下や感度の低下、もしくは露光部電位の上昇などを生じ、これらは基本的に感光層中に用いる電荷輸送物質に起因する場合が多く、電荷輸送物質を改善することで初期の感度特性が良好なだけでなくその維持性も高く、結果として感度低下や露光部電位の上昇などの副作用を抑制することが可能となるが、材料の選択が適切でない場合には、十分な静電的コントラストが得られにくい。つまり、露光後の光減衰後の電位が十分に落ちきる、所謂裾引きの良い電子写真感光体であることが必要である。しかしながら用いる材料が不適であると、光応答性は良好なものの十分な静電的コントラストが得られず画像形成上不都合な場合が生じる。
本発明者らは、多くの化合物を検討した結果前記一般式（１）で表されるナフタレンテトラカルボン酸ジイミド誘導体を用いた場合、上記すべての特性に適合することを見出し、本発明に至った。
すなわち、感光体（各色に対応した感光体）は、使用状況の多寡に依らず長期間にわたって高速で安定した光減衰特性を維持され、環境耐性（酸化性ガスなどに対して）も優れているため、これを搭載したタンデム方式のフルカラー電子写真装置は高耐久であり、繰返し使用においても品質の安定した高画質画像（例えば、色調変化、地肌汚れ、解像度低下、画像流れなど異常画像の発生がない。）の形成を可能とすることができる。
【００５６】
本発明における、前記一般式（１）で表されるナフタレンテトラカルボン酸ジイミド誘導体が繰り返し使用による画像品質維持に有効である理由は、現時点では明らかになっていないが、化学構造内に含まれるアミノ基は塩基性の強い基であるので、画像ボケの原因物質と考えられている酸化性ガスに対して電気的な中和効果があることによるものと推測される。また、本発明における前記一般式（１）で表されるナフタレンテトラカルボン酸ジイミド誘導体は、他の電荷輸送物質と併用することにより高感度、並びに繰り返し安定性等がさらに増すものである。
【００５７】
また、本発明における前記一般式（１）で表されるナフタレンテトラカルボン酸ジイミド誘導体は電子輸送性物質のため、それを用いた感光体は、層構成の選択および正孔輸送物質との混合により両極性帯電に対応することが可能である。したがって、以下の構成要件を満足することにより、高耐久性と高画質化の両立を可能とし、繰り返し使用に対しても高画質画像を安定に得られる両極性帯電に対応可能な感光体が得られ、繰り返し使用においても高画質画像を安定に得られる電子写真装置、ならびにそれを用いた電子写真方法および電子写真用プロセスカートリッジが提供される。
【００５８】
以下、図面に沿って本発明の電子写真装置を説明する。なおいずれの図面においても感光体は本発明の要件を満たす電子写真感光体である。
図１は、本発明に係る画像形成要素を複数具備してなるフルカラー電子写真装置における画像形成要素の構成例を示す模式断面図、すなわち画像形成要素の一例を説明するための概略図であり、後述するような変形例も本発明の範疇に属するものである。
【００５９】
図１において、本発明の要件を満たす感光体１はドラム状の形状を示しているが、シート状、エンドレスベルト状のものであってもよい。帯電手段である帯電装置２は、コロトロン、スコロトロン、固体帯電器（ソリッド・ステート・チャージャー）、帯電ローラーを始めとする公知の手段が用いられる。転写手段である転写装置５には、各種形態のものが使用されるが図１のようなローラー状のものや、もしくはチャージャー状のものが効果的である。
【００６０】
また、符号３は露光手段である露光装置を表し、半導体レーザー（ＬＤ）、発光ダイオード（ＬＥＤ）などを用いることができる。また場合によっては所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【００６１】
符号９は除電手段である除電装置を表し、必要性に応じて用いられる。光源としては蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を挙げることができる。
【００６２】
現像手段である現像装置４により感光体上に現像されたトナー１０は、受像媒体１１に転写されるが、全部が転写されるわけではなく、感光体上に残存するトナーも生ずる。このようなトナーは、クリーニング手段であるクリーニング装置７により、感光体より除去される。クリーニング手段は、ゴム製のクリーニングブレードやファーブラシ、マグファーブラシ等のブラシ等を用いることができる。
【００６３】
電子写真感光体に正(負)帯電を施し、画像露光を行なうと、感光体表面上には正(負)の静電潜像が形成される。これを負(正)極性のトナー（検電微粒子）で現像すれば、ポジ画像が得られるし、また正(負)極性のトナーで現像すれば、ネガ画像が得られる。かかる現像手段には、公知の方法が適用され、また、除電手段にも公知の方法が用いられる。
【００６４】
本発明では図１に示すような画像形成要素を複数具備してなることを特徴とするので、これらの画像形成要素を水平、もしくは斜めに複数並べ装置化して用いる。
図２に、本発明に係る画像形成要素を複数具備してなるフルカラー電子写真装置の一例を説明するための模式断面図を示す。
この例では、トナー１０としてイエロー（１０Ｙ）、マゼンタ（１０Ｍ）、シアン（１０Ｃ）、ブラック（１０Ｂｋ）の４色を用いるタイプとされ、各色毎に画像形成要素が配設されている。また、各色毎の感光体（１Ｙ，１Ｍ，１Ｃ，１Ｂｋ）が設けられている。この装置に用いられる各色毎の感光体（１Ｙ，１Ｍ，１Ｃ，１Ｂｋ）は、本発明の要件を満たす電子写真感光体である。各感光体１Ｙ，１Ｍ，１Ｃ，１Ｂｋの周りには、前述の図１の画像形成装置と同様に、帯電手段である帯電装置（２Ｙ，２Ｍ，２Ｃ，２Ｂｋ）、露光手段である像露光装置（露光装置）（３Ｙ，３Ｍ，３Ｃ，３Ｂｋ）、現像手段である現像装置（４Ｙ，４Ｍ，４Ｃ，４Ｂｋ）、転写手段である転写装置（５Ｙ，５Ｍ，５Ｃ，５Ｂｋ）、クリーニング手段であるクリーニング装置（７Ｙ，７Ｍ，７Ｃ，７Ｂｋ）、除電手段である除電装置（９Ｙ，９Ｍ，９Ｃ，９Ｂｋ）が配設されている。
なお、図２における定着装置６は４つの各画像形成装置上で形成される各色のトナー像を一括して定着させるため、受像媒体１１の最後の位置に配設されている。
【００６５】
また、以上に示すようなフルカラー電子写真装置のそれぞれの画像形成要素は、複写機、ファクシミリ、プリンター内に固定して組み込まれていてもよいが、プロセスカートリッジの形でそれら装置内に組み込まれてもよい。
プロセスカートリッジとは、感光体を内蔵し、他に帯電手段、露光手段、現像手段、転写手段、クリーニング手段、除電手段から選ばれる少なくとも一つの手段を含んで一体に支持され、電子写真装置本体に着脱自在とされた１つの装置（部品）である。プロセスカートリッジの形状等は多く挙げられるが、一般的な例として、図３に示すものが挙げられる。すなわち、図３は本発明に係るフルカラー電子写真装置の画像形成要素がカートリッジである例を示す模式断面図であり、感光体１１の周辺に、帯電手段である帯電装置１２、露光手段である露光装置１３、現像手段である現像装置１４、転写手段である転写装置１６、クリーニング手段であるクリーニング装置１７、および除電手段である除電装置１Ａが配備されている。なお、符号１８は受像媒体を示す。この場合も、感光体１１は、本発明の要件を満たす感光体である。これらのプロセスカートリッジは着脱自在でありメンテナンスが容易となる特徴がある。本発明では図３に示すようなプロセスカートリッジ形態の画像形成要素を複数具備してなることを特徴とするので、これらの画像形成要素を水平、もしくは斜めに複数並べて用いる。
【００６６】
図４の模式断面図に、本発明に係る画像形成要素を複数具備してなるフルカラー電子写真装置の別の例を示す。
図４に示す電子写真装置は、トナーとしてイエロー(Ｙ)、マゼンタ(Ｍ)、シアン(Ｃ)、ブラック(Ｂｋ)の４色を用いるタイプとされ、各色毎に画像形成部が配設されている。また、各色毎の感光体（１１Ｙ，１１Ｍ、１１Ｃ、１１Ｂｋ）が設けられている。この電子写真装置に用いられる感光体１１は、本発明の要件を満たす感光体である。
【００６７】
各感光体１１Ｙ，１１Ｍ、１１Ｃ、１１Ｂｋの周りには、帯電手段（１２Ｙ，１２Ｍ、１２Ｃ、１２Ｂｋ）、露光手段（１３Ｙ，１３Ｍ、１３Ｃ、１３Ｂｋ）、現像手段（１４Ｙ，１４Ｍ、１４Ｃ、１４Ｂｋ）、クリーニング手段（１７Ｙ，１７Ｍ、１７Ｃ、１７Ｂｋ）等が配設されている。また、直線上に配設された各感光体１１Ｙ、１１Ｍ、１１Ｃ、１１Ｂｋの各転写位置に接離する転写材担持体としての搬送転写体１Ｇが駆動手段１Ｃにて掛け渡されている。この搬送転写体１Ｇを挟んで各感光体１１Ｙ、１１Ｍ、１１Ｃ、１１Ｂｋに対向する転写位置には転写手段（１６Ｙ，１６Ｍ、１６Ｃ、１６Ｂｋ）が配設されおり、受像媒体１８に転写されたのちに定着手段１９により受像媒体１８に定着され出力される。
【００６８】
図４の形態のようなタンデム方式の電子写真装置は、各色毎に感光体１１Ｙ、１１Ｍ、１１Ｃ、１１Ｂｋを持ち、各色のトナー像を搬送転写体１Ｇに保持された受像媒体１８に順次転写するため、感光体を一つしか持たないフルカラー電子写真装置に比べ、はるかに高速のフルカラー画像の出力が可能となる。
【００６９】
図５の模式断面図に、本発明に係る画像形成要素を複数具備してなるフルカラー電子写真装置のさらに別の例を示す。
この装置構成では前記図４と同様に各感光体（１１Ｙ，１１Ｍ、１１Ｃ、１１Ｂｋ）の周りに、帯電手段（１２Ｙ，１２Ｍ、１２Ｃ、１２Ｂｋ）、露光手段（１３Ｙ，１３Ｍ、１３Ｃ、１３Ｂｋ）、現像手段（１４Ｙ，１４Ｍ、１４Ｃ、１４Ｂｋ）、クリーニング手段（１７Ｙ，１７Ｍ、１７Ｃ、１７Ｂｋ）等が配設されている。そして感光体１１Ｂｋ、１１Ｙ、１１Ｃ、１１Ｍ上に形成されたトナー像は、中間転写体１Ｆの内側に配置された第１の転写手段１Ｄにより、中間転写体１Ｆ上に転写される。第１の転写手段１Ｄは各感光体１１Ｂｋ、１１Ｙ、１１Ｃ、１１Ｍに対して接離可能に配置されており、転写動作時のみ中間転写体１Ｆを感光体１１Ｂｋ、１１Ｙ、１１Ｃ、１１Ｍに当接させる。各色の画像形成を順次行い、中間転写体１Ｆ上で重ね合わされたトナー像は第２の転写手段１Ｅにより、紙などの記録材である受像媒体１８上に一括して二次転写する。二次転写後、受像媒体１８上のトナー像は定着手段１９により定着される。
つまり、図５では直線上に配設された各感光体１１Ｙ，１１Ｍ，１１Ｃ，１１Ｂｋの各転写位置に接離する転写材担持体として、駆動手段１Ｃにて掛け渡されているベルト状の中間転写体に一次転写されたのちに、受像媒体１８に一括で二次転写され、次いで定着手段１９により定着され出力される。
【００７０】
なお、図４および図５に示す露光手段１３（１３Ｙ，１３Ｍ，１３Ｃ，１３Ｂｋ）の光源としては、前述同様に本発明においては、半導体レーザー（ＬＤ）、発光ダイオード（ＬＥＤ）などを用いることができる。また、場合によっては所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【００７１】
上記図４、図５の形態のような電子写真装置においても、各色毎の画像形成要素に前述のような着脱自在なプロセスカートリッジを用いることが可能である。また、各色毎に配設されている画像形成要素の順序は任意である。
【００７２】
次に、本発明において感光層中に含有させる前記一般式（１）で表されるナフタレンテトラカルボン酸ジイミド誘導体の詳細を説明する。
【００７３】
前記一般式（１）で表されるナフタレンテトラカルボン酸ジイミド誘導体は、ナフタレン-１，４，５，８-テトラカルボン酸二無水物誘導体を、１，１−二置換ヒドラジン誘導体とを無溶媒、もしくは溶媒存在下で反応させることにより製造することができる。
【００７４】
使用する溶媒としては特に制限はないが、ベンゼン、トルエン、キシレン、クロロナフタレン、酢酸、ピリジン、メチルピリジン、Ｎ，Ｎ−ジメチルホルムアミド、Ｎ，Ｎ−ジメチルアセトアミド、ジメチルエチレンウレア、ジメチルスルホキサイド等が挙げられる。また、反応温度は室温〜２５０℃の間が好ましい。さらに、反応促進のためにｐＨ調整して行うこともできる。ｐＨ調整には水酸化リチウム、水酸化カリウム、水酸化ナトリウム等の塩基性水溶液をリン酸等の酸と混合することにより作製した緩衝液を用いることができる。
【００７５】
具体的には、例えば、以下のように、第一工程〔下記反応式（I-1）〕で；ナフタレン-１，４，５，８-テトラカルボン酸二無水物誘導体と１，１−二置換ヒドラジン誘導体とを反応させてモノイミド体を製造し、第二工程〔下記反応式（I-2）〕で；この前記モノイミド体と最初に反応させたものと置換基の異なるヒドラジン誘導体とを反応させることにより、前記一般式（１）で表されるナフタレンテトラカルボン酸ジイミド誘導体が製造できる。この際、ナフタレン-１，４，５，８-テトラカルボン酸二無水物誘導体のＲ1、Ｒ2、Ｒ3、Ｒ4が異なれば前記一般式（１）で表されるナフタレンテトラカルボン酸ジイミド誘導体において、Ｒ1、Ｒ2、Ｒ3、Ｒ4が異なる誘導体が製造できる。
あるいは、下記反応式（II-1）に示すように、ナフタレンテトラカルボン酸二無水物１モル当量とヒドラジン誘導体２モル当量以上を反応させても前記一般式（１）で表されるナフタレンテトラカルボン酸ジイミド誘導体が製造できる。この際、ナフタレン-１，４，５，８-テトラカルボン酸二無水物誘導体のＲ1とＲ2が同じであれば、前記一般式（１）で表されるナフタレンテトラカルボン酸ジイミド誘導体において、Ｒ1、Ｒ2、Ｒ3、Ｒ4が同じである誘導体が製造できる。
【００７６】
【化１２】
0005392461.tif 000013
【００７７】
【化１３】
0005392461.tif 000014
【００７８】
［反応式（I-1）中、Ｒ1、Ｒ2およびＲ5、Ｒ6、Ｒ7、Ｒ8はそれぞれ前記一般式（１）で定義したのと同じである。また、反応式（I-2）中、Ｒ1、Ｒ2、Ｒ3、Ｒ4、およびＲ5、Ｒ6、Ｒ7、Ｒ8はそれぞれ前記一般式（１）で定義したのと同じである。］
【００７９】
【化１４】
0005392461.tif 000015
【００８０】
［反応式（II-1）中、Ｒ1とＲ2、およびＲ5、Ｒ6、Ｒ7、Ｒ8はそれぞれ前記一般式（１）で定義したのと同じである。］
【００８１】
前記一般式（１）において説明した、アルキル基の具体例としては、メチル基、エチル基、プロピル基、ブチル基、ヘキシル基、およびウンデカニル基などを挙げることができる。また、芳香族炭化水素基としてはベンゼン、ビフェニル、ナフタレン、アントラセン、フルオレン及びピレンなどの芳香族環の基、並びにピリジン、キノリン、チオフェン、フラン、オキサゾール、オキサジアゾール、カルバゾールなど芳香族複素環の基が挙げられる。
【００８２】
また、これらの置換基としては、上記アルキル基の具体例で挙げたもの、メトキシ基、エトキシ基、プロポキシ基、ブトキシ基などのアルコキシ基、またはフッ素原子、塩素原子、臭素原子、ヨウ素原子のハロゲン原子、ジアルキルアミノ基、ジフェニルアミノ基、前記芳香族炭化水素基、およびピロリジン、ピペリジン、ピペラジンなどの複素環の基などが挙げられる。
さらに、Ｒ1とＲ2およびＲ3とＲ4が互いに結合し窒素原子を含む複素環基を形成する場合、その複素環基としてはピロリジノ基、ピペリジノ基、ピペラジノ基などに芳香族炭化水素基が縮合した縮合複素環基を挙げることができる。
【００８３】
前記一般式（１）で表されるナフタレンテトラカルボン酸ジイミド誘導体の好ましい例（以降、「例示誘導体」あるいは「例示化合物」と称することがある。）を下記表１〜表５に挙げる。但し、本発明は、これらの化合物に限定されるものではない。
【００８４】
【表１】
0005392461.tif 000016
【００８５】
【表２】
0005392461.tif 000017
【００８６】
【表３】
0005392461.tif 000018
【００８７】
【表４】
0005392461.tif 000019
【００８８】
【表５】
0005392461.tif 000020
【００８９】
次に、本発明に用いられる電子写真感光体（感光体）の層構成に関して説明する。
図６は、本発明に係るフルカラー電子写真装置に用いられる感光体の一構成例を示す断面図であり、導電性支持体３１上に、電荷発生物質と電荷輸送物質を主成分とし、これらを同時に含む感光層３３（単層型）が設けられている。
図７は、本発明に係るフルカラー電子写真装置で用いられる感光体の別の構成例を示す断面図であり、導電性支持体３１上に、電荷発生物質を主成分とする電荷発生層３５と、電荷輸送物質を主成分とする電荷輸送層３７とが、積層された構成（積層型）をとっている。
図８は、本発明に係るフルカラー電子写真装置で用いられる感光体のさらに別の構成例を示す断面図であり、導電性支持体３１上に、電荷発生物質と電荷輸送物質を主成分とする感光層３３が設けられ（単層型）、さらに感光層表面に保護層３９が設けられてなる。この場合、保護層３９に本発明のナフタレンテトラカルボン酸ジイミド誘導体が含有されても構わない。
図９は、本発明に係るフルカラー電子写真装置で用いられる感光体の他の構成例を示す断面図であり、導電性支持体３１上に、電荷発生物質を主成分とする電荷発生層３５と電荷輸送物質を主成分とする電荷輸送層３７とが積層された構成（積層型）をとっており、さらに電荷輸送層上に保護層３９が設けられてなる。この場合、保護層３９に本発明のナフタレンテトラカルボン酸ジイミド誘導体が含有されても構わない。
図１０は、本発明に係るフルカラー電子写真装置で用いられる感光体のさらに他の構成例を示す断面図であり、導電性支持体３１上に、電荷輸送物質を主成分とする電荷輸送層３７と電荷発生物質を主成分とする電荷発生層３５とが積層された構成（積層型）をとっている。
また、図１１は、本発明に係るフルカラー電子写真装置で用いられる感光体のさらにまた他の構成例を示す断面図であり、導電性支持体３１上に、電荷輸送物質を主成分とする電荷輸送層３７と電荷発生物質を主成分とする電荷発生層３５とが積層された構成（積層型）をとっており更に電荷発生層上に保護層３９が設けられてなる。この場合、保護層３９に本発明のナフタレンテトラカルボン酸ジイミド誘導体が含有されても構わない。
【００９０】
次に、本発明に用いられる電子写真感光体の構成要素について説明する。
導電性支持体（支持体）３１としては、体積抵抗１０１０Ω・ｃｍ以下の導電性を示すもの、例えば、アルミニウム、ニッケル、クロム、ニクロム、銅、金、銀、白金などの金属、酸化スズ、酸化インジウムなどの金属酸化物を、蒸着またはスパッタリングにより、フィルム状もしくは円筒状のプラスチック、紙に被覆したもの、あるいは、アルミニウム、アルミニウム合金、ニッケル、ステンレスなどの板およびそれらを、押し出し、引き抜きなどの工法で素管化後、切削、超仕上げ、研摩などの表面処理した管などを使用することができる。また、特開昭５２−３６０１６号公報に開示されたエンドレスニッケルベルト、エンドレスステンレスベルトも導電性支持体３１として用いることができる。
【００９１】
この他、上記支持体上に導電性粉体を適当な結着樹脂に分散して塗工したものについても、本発明の導電性支持体３１として用いることができる。
この導電性粉体としては、カーボンブラック、アセチレンブラック、またアルミニウム、ニッケル、鉄、ニクロム、銅、亜鉛、銀などの金属粉、あるいは導電性酸化スズ、ＩＴＯなどの金属酸化物粉体などがあげられる。また、同時に用いられる結着樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性、熱硬化性樹脂または光硬化性樹脂が挙げられる。
このような導電性層は、これらの導電性粉体と結着樹脂を適当な溶剤、例えば、テトラヒドロフラン、ジクロロメタン、メチルエチルケトン、トルエンなどに分散して塗布することにより設けることができる。
【００９２】
さらに、適当な円筒基体上にポリ塩化ビニル、ポリプロピレン、ポリエステル、ポリスチレン、ポリ塩化ビニリデン、ポリエチレン、塩化ゴム、テフロン（登録商標）などの素材に前記導電性粉体を含有させた熱収縮チューブによって導電性層を設けてなるものも、本発明の導電性支持体３１として良好に用いることができる。
【００９３】
次に、感光層について説明する。感光層は単層型でも積層型でもよいが、説明の都合上、先ず電荷発生層３５と電荷輸送層３７で構成される積層型の場合から述べる。
前述のように、電荷発生層３５は、電荷発生物質を主成分として含む層である。
電荷発生層３５には、公知の電荷発生物質を用いることが可能であり、その代表として、シーアイピグメントブルー２５（カラーインデックスＣＩ  ２１１８０）、シーアイピグメントレッド４１（ＣＩ  ２１２００）、シーアイアシッドレッド５２（ＣＩ  ４５１００）、シーアイベーシックレッド３（ＣＩ  ４５２１０）、カルバゾール骨格を有するアゾ顔料（特開昭５３−９５０３３号公報に記載）、ジスチリルベンゼン骨格を有するアゾ顔料（特開昭５３−１３３４４５号公報）、トリフェニルアミン骨格を有するアゾ顔料（特開昭５３−１３２３４７号公報に記載）、ジベンゾチオフェン骨格を有するアゾ顔料（特開昭５４−２１７２８号公報に記載）、オキサジアゾール骨格を有するアゾ顔料（特開昭５４−１２７４２号公報に記載）、フルオレノン骨格を有するアゾ顔料（特開昭５４−２２８３４号公報に記載）、ビススチルベン骨格を有するアゾ顔料（特開昭５４−１７７３３号公報に記載）、ジスチリルオキサジアゾール骨格を有するアゾ顔料（特開昭５４−２１２９号公報に記載）、ジスチリルカルバゾール骨格を有するアゾ顔料（特開昭５４−１４９６７号公報に記載）、ベンズアントロン骨格を有するアゾ顔料などの各種アゾ顔料や、例えば、シーアイピグメントブルー１６（ＣＩ  ７４１００）、Ｙ型オキソチタニウムフタロシアニン（特開昭６４−１７０６６号公報）、Ａ(β)型オキソチタニウムフタロシアニン、Ｂ(α)型オキソチタニウムフタロシアニン、Ｉ型オキソチタニウムフタロシアニン（特開平１１−２１４６６号公報に記載）、ＩＩ型クロロガリウムフタロシアニン（飯島他，日本化学会第６７春季年会，１Ｂ４，０４（１９９４））、Ｖ型ヒドロキシガリウムフタロシアニン（大門他，日本化学会第６７春季年会，１Ｂ４，０５（１９９４））、Ｘ型無金属フタロシアニン（米国特許第３，８１６，１１８号）などのフタロシアニン系顔料、シーアイバットブラウン５（ＣＩ  ７３４１０）、シーアイバットダイ（ＣＩ  ７３０３０）などのインジコ系顔料、アルゴスカーレットＢ（バイエル社製）、インタンスレンスカーレットＲ（バイエル社製）などのペリレン顔料などが挙げられる。なお、これらの材料は単独あるいは２種類以上が併用されてもよい。
【００９４】
電荷発生層３５は、電荷発生物質を必要に応じて結着樹脂とともに適当な溶剤中で、ボールミル、アトライター、サンドミル、超音波などを用いて分散し、これを導電性支持体上に塗布し、乾燥することにより形成される。
必要に応じて電荷発生層３５に用いられる結着樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリスルホン、ポリ−Ｎ−ビニルカルバゾール、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリアミド、ポリビニルピリジン、セルロース系樹脂、カゼイン、ポリビニルアルコール、ポリビニルピロリドン等が挙げられる。結着樹脂の量は、電荷発生物質１００重量部に対し０〜５００重量部、好ましくは１０〜３００重量部が適当である。結着樹脂の添加は、分散前あるいは分散後どちらでも構わない。
【００９５】
上記で用いられる溶剤としては、イソプロパノール、アセトン、メチルエチルケトン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等が挙げられるが、特にケトン系溶媒、エステル系溶媒、エーテル系溶媒が良好に使用される。これらは単独で用いても２種以上混合して用いてもよい。
【００９６】
上記のように、電荷発生層３５は、電荷発生物質、溶媒および結着樹脂を主成分とする塗工液を用いて塗工法等により形成されるが、塗布液中には、増感剤、分散剤、界面活性剤、シリコーンオイル等のいかなる添加剤が含まれていてもよい。塗布液の塗工法としては、浸漬塗工法、スプレーコート、ビートコート、ノズルコート、スピナーコート、リングコート等の方法を用いることができる。電荷発生層３５の膜厚は、０.０１〜５μｍ程度が適当であり、好ましくは０.１〜２μｍである。
【００９７】
電荷輸送層３７は、電荷輸送物質を主成分として含む層であり、少なくとも前記一般式（１）で表されるナフタレンテトラカルボン酸ジイミド誘導体を含有するが、ナフタレンテトラカルボン酸ジイミド誘導体以外の電荷輸送物質を含有することができる。すなわち、電荷輸送層３７は、前記一般式（１）で表されるナフタレンテトラカルボン酸ジイミド誘導体と、必要により他の電荷輸送物質を、単独もしくは結着樹脂と適当な溶剤に溶解ないし分散した塗工液を用い、これを電荷発生層上に塗布、乾燥することにより形成できる。ナフタレンテトラカルボン酸ジイミド誘導体以外の電荷輸送物質を含有させることによって、フルカラー電子写真装置の感光体に要求される電荷輸送能を調整することができ、好適化が図れる。
塗工液の塗工法としては、浸漬塗工法、スプレーコート、ビートコート、ノズルコート、スピナーコート、リングコート等、従来の塗工方法を用いることができる。
本発明において用いられるナフタレンテトラカルボン酸ジイミド誘導体以外の電荷輸送物質に関して、正孔輸送物質と電子輸送物質、および高分子電荷輸送物質に分け、以下に説明する。
【００９８】
正孔輸送物質としては、例えば、ポリ−Ｎ−カルバゾールおよびその誘導体、ポリ-γ-カルバゾリルエチルグルタメートおよびその誘導体、ピレン−ホルムアルデヒド縮合物およびその誘導体、ポリビニルピレン、ポリビニルフェナントレン、オキサゾール誘導体、イミダゾール誘導体、トリフェニルアミン誘導体、および以下の一般式（１１）乃至（３４）［一般式（２）、（６）、（７）、（１０）を含む］で示される化合物がある。
【００９９】
【化１５】
0005392461.tif 000021
【０１００】
［式（１１）中、Ｒ1はメチル基、エチル基、２−ヒドロキシエチル基または２−クロルエチル基を表し、Ｒ2はメチル基、エチル基、ベンジル基またはフェニル基を表し、Ｒ3は水素原子、塩素原子、臭素原子、炭素数１〜４のアルキル基、炭素数１〜４のアルコキシ基、ジアルキルアミノ基またはニトロ基を表す。］
【０１０１】
上記一般式（１１）で表される化合物には、例えば、９−エチルカルバゾール−３−カルボアルデヒド１−メチル−１−フェニルヒドラゾン、９−エチルカルバゾール−３−カルボアルデヒド１−ベンジル−１−フェニルヒドラゾン、９−エチルカルバゾール−３−カルボアルデヒド１、１−ジフェニルヒドラゾンなどがある。
【０１０２】
【化１６】
0005392461.tif 000022
【０１０３】
［式（１２）中、Ａｒはナフタレン環、アントラセン環、ピレン環及びそれらの置換体あるいはピリジン環、フラン環、チオフェン環を表し、Ｒはアルキル基、フェニル基またはベンジル基を表す。］
【０１０４】
一般式（１２）で表される化合物には、例えば、４−ジエチルアミノスチリル−β−カルボアルデヒド１−メチル−１−フェニルヒドラゾン、４−メトキシナフタレン−１−カルボアルデヒド１−ベンジル−１−フェニルヒドラゾンなどがある。
【０１０５】
【化１７】
0005392461.tif 000023
【０１０６】
［式（１３）中、Ｒ1はアルキル基、ベンジル基、フェニル基またはナフチル基を表し、Ｒ2は水素原子、炭素数１〜３のアルキル基、炭素数１〜３のアルコキシ基、ジアルキルアミノ基、ジアラルキルアミノ基またはジアリールアミノ基を表し、ｎは１〜４の整数を表し、ｎが２以上のときはＲ2は同じでも異なっていてもよい。Ｒ3は水素原子またはメトキシ基を表す。］
【０１０７】
一般式（１３）で表される化合物には、例えば、４−メトキシベンズアルデヒド１−メチル−１−フェニルヒドラゾン、２、４−ジメトキシベンズアルデヒド１−ベンジル−１−フェニルヒドラゾン、４−ジエチルアミノベンズアルデヒド１、１−ジフェニルヒドラゾン、４−メトキシベンズアルデヒド１−（４−メトキシ）フェニルヒドラゾン、４−ジフェニルアミノベンズアルデヒド１−ベンジル−１−フェニルヒドラゾン、４−ジベンジルアミノベンズアルデヒド１、１−ジフェニルヒドラゾンなどがある。
【０１０８】
【化１８】
0005392461.tif 000024
【０１０９】
［式（１４）中、Ｒ1は炭素数１〜１１のアルキル基、置換もしくは無置換のフェニル基または複素環基を表し、 Ｒ2、Ｒ3はそれぞれ同一でも異なっていてもよく、水素原子、炭素数１〜４のアルキル基、ヒドロキシアルキル基、クロルアルキル基または置換もしくは無置換のアラルキル基を表し、また、Ｒ2とＲ3は互いに結合し窒素を含む複素環を形成していてもよい。Ｒ4は同一でも異なっていてもよく、水素原子、炭素数１〜４のアルキル基、アルコキシ基またはハロゲン原子を表す。］
【０１１０】
一般式（１４）で表される化合物には、例えば、１、１−ビス（４−ジベンジルアミノフェニル）プロパン、トリス（４−ジエチルアミノフェニル）メタン、１、１−ビス（４−ジベンジルアミノフェニル）プロパン、２，２’−ジメチル−４，４’−ビス（ジエチルアミノ）−トリフェニルメタンなどがある。
【０１１１】
【化１９】
0005392461.tif 000025
【０１１２】
［式（１５）中、Ｒは水素原子またはハロゲン原子を表し、Ａｒは置換もしくは無置換のフェニル基、ナフチル基、アントリル基またはカルバゾリル基を表す。］
【０１１３】
一般式（１５）で表される化合物には、例えば、９−（４−ジエチルアミノスチリル）アントラセン、９−ブロム−１０−（４−ジエチルアミノスチリル）アントラセンなどがある。
【０１１４】
【化２０】
0005392461.tif 000026
【０１１５】
［式（１６）中、 Ｒ1は水素原子、ハロゲン原子、シアノ基、炭素数１〜４のアルコキシ基または炭素数１〜４のアルキル基を表し、Ａｒは下記一般式（１７）、一般式（１８）：
【０１１６】
【化２１】
0005392461.tif 000027
【０１１７】
〔式（１７）、（１８）中、Ｒ2は炭素数１〜４のアルキル基を表し、Ｒ3は水素原子、ハロゲン原子、炭素数１〜４のアルキル基、炭素数１〜４のアルコキシ基またはジアルキルアミノ基を表し、ｎは１または２であって、ｎが２のとき、Ｒ3は同一でも異なっていてもよく、Ｒ4、Ｒ5は水素原子、炭素数１〜４の置換もしくは無置換のアルキル基または置換もしくは無置換のベンジル基を表す。〕を表す。］
【０１１８】
一般式（１６）で表される化合物には、例えば、９−（４−ジメチルアミノベンジリデン）フルオレン、３−（９−フルオレニリデン）−９−エチルカルバゾールなどがある。
【０１１９】
【化２２】
0005392461.tif 000028
【０１２０】
［式（１９）中、Ｒはカルバゾリル基、ピリジル基、チエニル基、インドリル基、フリル基あるいはそれぞれ置換もしくは非置換のフェニル基、スチリル基、ナフチル基、またはアントリル基であって、これらの置換基がジアルキルアミノ基、アルキル基、アルコキシ基、カルボキシ基またはそのエステル、ハロゲン原子、シアノ基、アラルキルアミノ基、N-アルキル-N-アラルキルアミノ基、アミノ基、ニトロ基およびアセチルアミノ基からなる群から選ばれた基を表す。］
【０１２１】
一般式（１９）で表される化合物には、例えば、１、２−ビス（４−ジエチルアミノスチリル）ベンゼン、１、２−ビス（２、４−ジメトキシスチリル）ベンゼンなどがある。
【０１２２】
【化２３】
0005392461.tif 000029
【０１２３】
［式（２０）中、 Ｒ1は低級アルキル基、置換もしくは無置換のフェニル基、またはベンジル基を表し、 Ｒ2、Ｒ3は水素原子、低級アルキル基、低級アルコキシ基、ハロゲン原子、ニトロ基、アミノ基あるいは低級アルキル基またはベンジル基で置換されたアミノ基を表し、ｎは１または２の整数を表す。］
【０１２４】
一般式（２０）で表される化合物には、例えば、３−スチリル−９−エチルカルバゾール、３−（４−メトキシスチリル）−９−エチルカルバゾールなどがある。
【０１２５】
【化２４】
0005392461.tif 000030
【０１２６】
［式（２１）中、Ｒ1は水素原子、アルキル基、アルコキシ基またはハロゲン原子を表し、Ｒ2およびＲ3は置換もしくは無置換のアリール基を表し、 Ｒ4は水素原子、低級アルキル基または置換もしくは無置換のフェニル基を表し、また、Ａｒは置換もしくは無置換のフェニル基またはナフチル基を表す。］
【０１２７】
一般式（２１）で表される化合物には、例えば、４−ジフェニルアミノスチルベン、４−ジベンジルアミノスチルベン、４−ジトリルアミノスチルベン、１−（４−ジフェニルアミノスチリル）ナフタレン、１−（４−ジフェニルアミノスチリル）ナフタレンなどがある。
【０１２８】
【化２５】
0005392461.tif 000031
【０１２９】
［式（２）中、Ｘは単結合もしくはビニレン基を表し、Ｒ1は水素原子、置換もしくは無置換のアルキル基または置換もしくは無置換の芳香族炭化水素基を表し、Ａｒ1は置換もしくは無置換の芳香族炭化水素基を表し、Ｒ5は水素原子、置換もしくは無置換のアルキル基、あるいは置換もしくは無置換の芳香族炭化水素基を表し、Ａｒ1とＲ5は共同で環を形成してもよい。Ａは９−アントリル基または置換もしくは無置換のカルバゾリル基、または下記一般式（３）、一般式（４）：
【０１３０】
【化２６】
0005392461.tif 000032
【０１３１】
〔式（３）、（４）中、Ｒ2は水素原子、アルキル基、アルコキシ基、ハロゲン原子または下記一般式（５）：
【０１３２】
【化２７】
0005392461.tif 000033
【０１３３】
（ただし式（５）中、Ｒ3およびＲ4は置換もしくは無置換のアルキル基、置換もしくは無置換の芳香族炭化水素基を示し、Ｒ3およびＲ4は同じでも異なっていてもよく、環を形成してもよい。）を表す。ｍは１〜３の整数を表し、２以上の時Ｒ2は同一でも異なってもよい。〕を表す。］
上記式（２）に示すものとしては、例えば、後述の実施例に示す構造式（Ｉ）で表される電荷輸送物質Ｎｏ．１などが挙げられる。さらに下記式（２２）により表されるものが挙げられる。
【０１３４】
【化２８】
0005392461.tif 000034
【０１３５】
［式（２２）中、ｎは０または１の整数、Ｒ2は水素原子、アルキル基または置換もしくは無置換のフェニル基を表し、Ａｒ2は置換もしくは未置換のアリール基を表し、Ｒ4は置換アルキル基を含むアルキル基、あるいは置換もしくは無置換のアリール基を表し、Ａは９−アントリル基または置換もしくは無置換のカルバゾリル基、または下記一般式（２３）、一般式（２４）：
【０１３６】
【化２９】
0005392461.tif 000035
【０１３７】
〔ここで式（２３）、（２４）中、Ｒ6は水素原子、アルキル基、アルコキシ基、ハロゲン原子または一般式（２５）：
【０１３８】
【化３０】
0005392461.tif 000036
【０１３９】
（ただし式（２５）中、Ｒ7およびＲ8は置換もしくは無置換のアリール基を示し、Ｒ7およびＲ8は同じでも異なっていてもよく、Ｒ7およびＲ8は環を形成してもよい）を表し、ｍは１〜３の整数を表し、ｍが２以上の時Ｒ2は同一でも異なってもよい。また、ｎが０の時、ＡとＲ2は共同で環を形成してもよい。〕を表す。］
【０１４０】
一般式（２２）で表される化合物には、例えば、４−ジフェニルアミノ−α−フェニルスチルベン、４−ビス（４−メチルフェニル）アミノ−α−フェニルスチルベンなどがある。
【０１４１】
【化３１】
0005392461.tif 000037
【０１４２】
［式（２６）中、Ｒ1、Ｒ2およびＲ3は水素原子、低級アルキル基、低級アルコキシ基、ハロゲン原子またはジアルキルアミノ基を表し、ｎは０または１を表す。］
【０１４３】
一般式（２６）で表される化合物には、例えば、１−フェニル−３−（４−ジエチルアミノスチリル）−５−（４−ジエチルアミノフェニル）ピラゾリンなどがある。
【０１４４】
【化３２】
0005392461.tif 000038
【０１４５】
［式（２７）中、 Ｒ1およびＲ2は置換アルキル基を含むアルキル基、または置換もしくは未置換のアリール基を表し、 Ａは置換アミノ基、置換もしくは未置換のアリール基またはアリル基を表す。］
【０１４６】
一般式（２７）で表される化合物には、例えば、２、５−ビス（４−ジエチルアミノフェニル）−１，３，４−オキサジアゾール、２−Ｎ、Ｎ−ジフェニルアミノ−５−（４−ジエチルアミノフェニル）−１，３，４−オキサジアゾール、２−（４−ジメチルアミノフェニル）−５−（４−ジエチルアミノフェニル）−１，３，４−オキサジアゾールなどがある。
【０１４７】
【化３３】
0005392461.tif 000039
【０１４８】
［式（２８）中、Ｘは水素原子、低級アルキル基またはハロゲン原子を表し、Ｒは置換アルキル基を含むアルキル基、または置換もしくは無置換のアリール基を表し、Ａは置換アミノ基または置換もしくは無置換のアリール基を表す。］
【０１４９】
一般式（２８）で表される化合物には、例えば、２−Ｎ、Ｎ−ジフェニルアミノ−５−（Ｎ−エチルカルバゾール−３−イル）−１，３，４−オキサジアゾール、２−（４−ジエチルアミノフェニル）−５−（Ｎ−エチルカルバゾール−３−イル）−１，３，４−オキサジアゾールなどがある。
【０１５０】
【化３４】
0005392461.tif 000040
【０１５１】
［式（２９）中、 Ｒ1は低級アルキル基、低級アルコキシ基またはハロゲン原子を表し、Ｒ2、Ｒ3は同じでも異なっていてもよく、水素原子、低級アルキル基、低級アルコキシ基またはハロゲン原子を表し、ｌ、ｍ、ｎは０〜４の整数を表す。］
【０１５２】
一般式（２９）で表されるベンジジン化合物には、例えば、Ｎ，Ｎ’−ジフェニル− Ｎ，Ｎ’−ビス（３−メチルフェニル）−[１，１’−ビフェニル]−４，４’−ジアミン、３，３’−ジメチル−Ｎ，Ｎ，Ｎ’，Ｎ’−テトラキス（４−メチルフェニル）−[１，１’−ビフェニル]−４，４’−ジアミンなどがある。
【０１５３】
【化３５】
0005392461.tif 000041
【０１５４】
［式（６）中、Ｒ1、Ｒ3およびＲ4は水素原子、アミノ基、アルコキシ基、チオアルコキシ基、アリールオキシ基、メチレンジオキシ基、置換もしくは無置換のアルキル基、ハロゲン原子または置換もしくは無置換の芳香族炭化水素基を、Ｒ2は水素原子、アルコキシ基、置換もしくは無置換のアルキル基またはハロゲン原子を表す。また、ｋ，ｌ，ｍおよびｎは１、２、３または４の整数であり、それぞれが２、３または４の整数の時は、前記Ｒ1、Ｒ2、Ｒ3およびＲ4は同じでも異なっていてもよい。］
上記式（６）に示すものとしては、例えば、後述の実施例に示す構造式（IV）で表される電荷輸送物質Ｎｏ．４などが挙げられる。さらに下記式（３０）により表されるものが挙げられる。
【０１５５】
【化３６】
0005392461.tif 000042
【０１５６】
［式（３０）中、Ｒ5、Ｒ7およびＲ8は水素原子、アミノ基、アルコキシ基、チオアルコキシ基、アリールオキシ基、メチレンジオキシ基、置換もしくは無置換のアルキル基、ハロゲン原子または置換もしくは無置換のアリール基を、Ｒ6は水素原子、アルコキシ基、置換もしくは無置換のアルキル基またはハロゲン原子を表す。ただし、Ｒ5、Ｒ6、Ｒ7およびＲ8はすべて水素原子である場合は除く。また、ｋ，ｌ，ｍおよびｎは１、２、３または４の整数であり、それぞれが２、３または４の整数の時は、前記Ｒ5、Ｒ6、Ｒ7およびＲ8は同じでも異なっていてもよい。］
【０１５７】
一般式（３０）で表されるビフェニリルアミン化合物には、例えば、４’−メトキシ−Ｎ，Ｎ−ジフェニル−[１，１’−ビフェニル]−４−アミン、４’−メチル−Ｎ，Ｎ−ビス（４−メチルフェニル）−[１，１’−ビフェニル]−４−アミン、４’−メトキシ−Ｎ，Ｎ−ビス（４−メチルフェニル）−［１，１’−ビフェニル］−４−アミン、Ｎ，Ｎ−ビス（３，４−ジメチルフェニル）−［１，１‘−ビフェニル］−4−アミンなどがある。
【０１５８】
【化３７】
0005392461.tif 000043
【０１５９】
［式（３１）中、Ａｒは置換基を有してもよい炭素数１８個以下の縮合多環式炭化水素基を表し、また、Ｒ1およびＲ2は水素原子、ハロゲン原子、置換もしくは無置換のアルキル基、アルコキシ基、置換もしくは無置換のフェニル基を表し、それぞれ同じでも異なっていてもよい。ｎは１もしくは２の整数を表す。］
【０１６０】
一般式（３１）で表されるトリアリールアミン化合物には、例えば、Ｎ，Ｎ−ジフェニル−ピレン−１−アミン、Ｎ，Ｎ−ジ−ｐ−トリル−ピレン−１−アミン、Ｎ，Ｎ−ジ−ｐ−トリル−１−ナフチルアミン、Ｎ，Ｎ−ジ（ｐ−トリル）−１−フェナントリルアミン、９，９−ジメチル−２−（ジ−ｐ−トリルアミノ）フルオレン、Ｎ，Ｎ，Ｎ’，Ｎ’−テトラキス（４−メチルフェニル）−フェナントレン−９，１０−ジアミン、Ｎ，Ｎ，Ｎ’，Ｎ’−テトラキス（３−メチルフェニル）−ｍ−フェニレンジアミンなどがある。
【０１６１】
【化３８】
0005392461.tif 000044
【０１６２】
［式（１０）中、Ｘは単結合もしくはビニレン基を表し、 Ｒ1は水素原子、置換もしくは無置換のアルキル基または置換もしくは無置換の芳香族炭化水素基を表し、Ａｒ1は置換もしくは無置換の２価の芳香族炭化水素基を表し、Ｒ5は水素原子、置換もしくは無置換のアルキル基、あるいは置換もしくは無置換の芳香族炭化水素基を表し、Ａは９−アントリル基または置換もしくは無置換のカルバゾリル基、または下記一般式（３）、一般式（４）：
【０１６３】
【化３９】
0005392461.tif 000045
【０１６４】
〔式（３）、（４）中、Ｒ2は水素原子、アルキル基、アルコキシ基、ハロゲン原子または下記一般式（５）：
【０１６５】
【化４０】
0005392461.tif 000046
【０１６６】
（ただし式（５）中、Ｒ3およびＲ4は置換もしくは無置換のアルキル基、置換もしくは無置換の芳香族炭化水素基を示し、Ｒ3およびＲ4は同じでも異なっていてもよく、環を形成してもよい。）を表す。ｍは１〜３の整数を表し、２以上の時Ｒ2は同一でも異なってもよい。〕を表す。］
上記式（１０）に示すものとしては、例えば、後述の実施例に示す構造式（II）で表される電荷輸送物質Ｎｏ．２などが挙げられる。さらに下記式（３２）により表されるものが挙げられる。
【０１６７】
【化４１】
0005392461.tif 000047
【０１６８】
［式（３２）中、Ａｒは置換もしくは無置換の芳香族炭化水素基を表し、Ａは下記一般式（３３）：
【０１６９】
【化４２】
0005392461.tif 000048
【０１７０】
〔ただし式（３３）中、Ａｒは置換もしくは無置換の芳香族炭化水素基を表し、Ｒ1およびＲ2は置換もしくは無置換のアルキル基、または置換もしくは無置換のアリール基である。〕を表す。］
【０１７１】
一般式（３２）で表されるジオレフィン芳香族化合物には、例えば、１、４−ビス（４−ジフェニルアミノスチリル）ベンゼン、１、４−ビス[４−ジ（ｐ−トリル）アミノスチリル]ベンゼンなどがある。
【０１７２】
【化４３】
0005392461.tif 000049
【０１７３】
［式（３４）中、 Ａｒは置換もしくは無置換の芳香族炭化水素基を、Ｒは水素原子、置換もしくは無置換のアルキル基、または置換もしくは無置換のアリール基を表す。ｎは０または１、ｍは１または２であって、ｎ＝０、ｍ＝１の場合、ＡｒとＲは共同で環を形成してもよい。］
【０１７４】
一般式（３４）で表されるスチリルピレン化合物には、例えば、１−（４−ジフェニルアミノスチリル）ピレン、１−（Ｎ，Ｎ−ジ−p−トリル−４−アミノスチリル）ピレンなどがある。
【０１７５】
【化４４】
0005392461.tif 000050
【０１７６】
［式（７）中、Ｘは単結合もしくはビニレン基を表し、Ｒ1は水素原子、置換もしくは無置換のアルキル基または置換もしくは無置換の芳香族炭化水素基を表し、Ａｒ1は置換もしくは無置換の芳香族炭化水素基を表し、Ｒ3は水素原子、置換もしくは無置換のアルキル基、あるいは置換もしくは無置換の芳香族炭化水素基を表し、Ａｒ1とＲ3は共同で環を形成してもよい。Ａｒ2は下記一般式（８）または一般式（９）：
【０１７７】
【化４５】
0005392461.tif 000051
【０１７８】
〔式（８）、（９）中、Ｒ2は水素原子、アルキル基、アルコキシ基、ハロゲン原子を表し、ｍは１〜３の整数を表し、２以上の時Ｒ2は同一でも異なってもよい。〕を表す。またＲ4は置換もしくは無置換のアルキル基、または置換もしくは無置換の芳香族炭化水素基を表す。］
上記式（７）に示すものとしては、例えば、後述の実施例に示す構造式（III）で表される電荷輸送物質Ｎｏ．３などが挙げられる。
【０１７９】
一方、電子輸送材料としては、例えば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−インデノ４Ｈ−インデノ[１、２−ｂ]チオフェン−４−オン、１，３，７−トリニトロジベンゾチオフェン−５，５−ジオキサイドなどを挙げることができる。
【０１８０】
前記電荷輸送層３７の形成に用いられる結着樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。
【０１８１】
前記一般式（１）で表されるナフタレンテトラカルボン酸ジイミド誘導体と他の電荷輸送物質が電荷輸送層内に混合含有される場合、この合計量は、結着樹脂１００重量部に対し、２０〜３００重量部、好ましくは４０〜１５０重量部が適当である。本発明の特徴の一つである画像形成要素を複数配列して用いる電子写真装置の場合、各画像形成要素に用いる感光体に用いるナフタレンテトラカルボン酸ジイミド誘導体の効果により、繰り返し使用後における静電特性の変動や摩耗量は少ないため、画像形成要素で得られた像を重ねてフルカラー画像を形成した場合の画質の変化が非常に少なく安定している。しかしながら、さらなる繰り返し使用時における摩耗量を少なくして耐久性を向上させるという観点から、一般式（１）で表されるナフタレンテトラカルボン酸ジイミド誘導体を含む電荷輸送物質の重量の総和と、同じく電荷輸送層中に含まれる結着樹脂の重量の総和において、結着樹脂の重量の総和が多くすることがより好ましい。すなわち、結着樹脂１００重量部に対し２０〜１００重量部未満、より好ましくは４０〜１００重量部未満が適当である。また、電荷輸送層の膜厚は解像度・応答性の点から、２５μｍ以下することが好ましい。下限値に関しては使用するシステム（特に帯電電位等）によって異なるが、５μｍ以内が好ましい。
【０１８２】
また、本発明の前記一般式（１）で表されるナフタレンテトラカルボン酸ジイミド誘導体の含有量は、他の電荷輸送物質に対して０．０１ｗｔ％〜１５０ｗｔ％が好ましい。少ないと酸化性ガスに対する耐性が不足し、多すぎると、繰り返し使用による残留電位の上昇が大きくなる。
【０１８３】
前述のように、電荷輸送層３７は、前記一般式（１）で表されるナフタレンテトラカルボン酸ジイミド誘導体と、必要により他の電荷輸送物質を、単独もしくは結着樹脂と適当な溶剤に溶解ないし分散した塗工液を用いて形成できる。そして、必要により単独あるいは２種以上の可塑剤、レベリング剤、酸化防止剤等を塗工液に添加することもできる。
ここで用いられる溶剤としては、テトラヒドロフラン、ジオキサン、トルエン、ジクロロメタン、モノクロロベンゼン、ジクロロエタン、シクロヘキサノン、メチルエチルケトン、アセトンなどが用いられる。電荷輸送物質は単独で使用しても２種以上混合して使用してもよい。
【０１８４】
本発明に使用できる酸化防止剤としては、一般の酸化防止剤が使用できるが、ハイドロキノン系、およびヒンダードアミン系の化合物が特に効果的である。但し、ここで用いられる酸化防止剤は、本発明に用いられるナフタレンテトラカルボン酸ジイミド誘導体の変質保護のために利用される。
このため、これらの酸化防止剤は、本発明のナフタレンテトラカルボン酸ジイミド誘導体を含有させる前の工程で塗工液に含有させておくことが好ましく、添加量としては、ナフタレンテトラカルボン酸ジイミド誘導体に対して０．１〜２００ｗｔ％で十分な効果を発揮できる。
【０１８５】
電荷輸送層に用いる電荷輸送物質には、電荷輸送物質としての機能とバインダー樹脂としての機能を持った高分子電荷輸送物質も良好に使用できる。これらの高分子電荷輸送物質から構成される電荷輸送層は耐摩耗性に優れたものである。高分子電荷輸送物質としては、公知の材料が使用できる。
【０１８６】
次に、感光層が単層型（単層構成３３）の場合について述べる。
感光層は、電荷発生物質と、前記一般式（１）で表されるナフタレンテトラカルボン酸ジイミド誘導体と、必要により他の電荷輸送物質、および結着樹脂を適当な溶剤に溶解ないし分散した塗工液を用い、これを塗布、乾燥することによって形成できる。また、必要により可塑剤やレベリング剤、酸化防止剤等を塗工液に添加することもできる。
【０１８７】
上記結着樹脂としては、先に電荷輸送層３７で挙げた結着樹脂のほかに、電荷発生層３５で挙げたＫＢ着樹脂を混合して用いてもよい。もちろん先に挙げた高分子電荷輸送物質も良好に使用できる。結着樹脂１００重量部に対する電荷発生物質の量は５〜４０重量部が好ましく、前記一般式（１）で表されるナフタレンテトラカルボン酸ジイミド誘導体と他の電荷輸送物質が電荷輸送層内に混合含有される場合、その電荷輸送物質の量は０〜１９０重量部が好ましく、さらに好ましくは５０〜１５０重量部である。ナフタレンテトラカルボン酸ジイミド誘導体と他の電荷輸送物質の合計量は、２０〜３００重量部、好ましくは４０〜１５０重量部が適当である。本発明の特徴の一つである画像形成要素を複数配列して用いる電子写真装置の場合、各画像形成要素に用いる感光体に用いるナフタレンテトラカルボン酸ジイミド誘導体の効果により、繰り返し使用後における静電特性の変動や摩耗量は少ないため、画像形成要素で得られた像を重ねてフルカラー画像を形成した場合の画質の変化が非常に少なく安定している。しかしながら、さらなる繰り返し使用時における摩耗量を少なくして耐久性を向上させるという観点から、一般式（１）で表されるナフタレンテトラカルボン酸ジイミド誘導体を含む電荷輸送物質の重量の総和と、同じく電荷輸送層中に含まれる結着樹脂の重量の総和において、結着樹脂の重量の総和が多くすることがより好ましい。すなわち、結着樹脂１００重量部に対し２０〜１００重量部未満、より好ましくは４０〜１００重量部未満が適当である。感光層は、例えば、電荷発生物質、上記ナフタレンテトラカルボン酸ジイミド誘導体、他の電荷輸送物質、結着樹脂等をテトラヒドロフラン、ジオキサン、ジクロロエタン、シクロヘキサン等の溶媒を用いて溶解、もしくは分散機等で分散した塗工液を用い、浸漬塗工法やスプレーコート、ビートコート、リングコートなどで塗工して形成できる。感光層の膜厚は、５〜２５μｍ程度が適当である。
【０１８８】
本発明の感光体においては、前記導電性支持体３１と感光層との間に下引き層を設けることができる。下引き層は一般には樹脂を主成分とするが、これらの樹脂はその上に感光層を溶剤で塗布することを考えると、一般の有機溶剤に対して耐溶剤性の高い樹脂であることが望ましい。
【０１８９】
このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。また、下引き層にはモアレ防止、残留電位の低減等のために酸化チタン、シリカ、アルミナ、酸化ジルコニウム、酸化スズ、酸化インジウム等で例示できる金属酸化物の微粉末顔料を加えてもよい。
【０１９０】
上記の下引き層は、前述の感光層の如く適当な溶媒及び塗工法を用いて形成することができる。さらに、本発明における下引き層として、シランカップリング剤、チタンカップリング剤、クロムカップリング剤等を使用することもできる。この他、本発明の下引き層には、Ａｌ2Ｏ3を陽極酸化にて設けたものや、ポリパラキシリレン（パリレン）等の有機物やＳｉＯ2、ＳｎＯ2、ＴｉＯ2、ＩＴＯ、ＣｅＯ2等の無機物を真空薄膜作成法にて設けたものも良好に使用できる。このほかにも公知のものを用いることができる。下引き層の膜厚は０〜５μｍが適当である。
【０１９１】
本発明の感光体においては、感光層保護の目的で、保護層３９が感光層の上に設けられることがある。保護層３９に使用される材料としてはＡＢＳ樹脂、ＡＣＳ樹脂、オレフィン−ビニルモノマー共重合体、塩素化ポリエーテル、アリール樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルベンテン、ポリプロピレン、ポリフェニレンオキシド、ポリスルホン、ポリスチレン、ポリアリレート、ＡＳ樹脂、ブタジエン−スチレン共重合体、ポリウレタン、ポリ塩化ビニル、ポリ塩化ビニリデン、エポキシ樹脂等の樹脂が挙げられる。フィラーの分散性、残留電位、塗膜欠陥の点から、特にポリカーボネートあるいはポリアリレートが有効かつ有用である。
【０１９２】
また、感光体の保護層には、耐摩耗性を向上する目的でフィラー材料を添加される。保護層を塗工液を用いて形成する際に用いられる溶剤としては、テトラヒドロフラン、ジオキサン、トルエン、ジクロロメタン、モノクロロベンゼン、ジクロロエタン、シクロヘキサノン、メチルエチルケトン、アセトンなど、電荷輸送層３７で使用されるすべての溶剤を使用することができる。但し、フィラー材料の分散時には粘度が高い溶剤が好ましいが、塗工時には揮発性が高い溶剤が好ましい。これらの条件を満たす溶剤がない場合には、各々の物性を有する溶剤を２種以上混合させて使用することが可能であり、フィラーの分散性や残留電位に対して大きな効果を有する場合がある。
【０１９３】
保護層の形成法としては、浸漬塗工法、スプレーコート、ビートコート、ノズルコート、スピナーコート、リングコート等の従来方法を用いることができるが、特に塗膜の均一性の面からスプレーコートがより好ましい。
【０１９４】
また、保護層に本発明の前記一般式（１）で表されるナフタレンテトラカルボン酸ジイミド誘導体やアミン化合物が含まれていてもよい。さらに電荷輸送層３７で挙げた低分子電荷輸送物質あるいは高分子電荷輸送物質を添加することは、残留電位の低減および画質向上に対して有効かつ有用である。
【０１９５】
本発明の感光体においては、感光層と保護層との間に中間層を設けることも可能である。中間層には、一般にバインダー樹脂を主成分として用いる。これら樹脂としては、ポリアミド、アルコール可溶性ナイロン、水溶性ポリビニルブチラール、ポリビニルブチラール、ポリビニルアルコールなどが挙げられる。中間層の形成法としては、前述のごとく一般に用いられる塗工法が採用される。なお、中間層の厚さは０．０５〜２μｍ程度が適当である。
【０１９６】
本発明においては、耐環境性の改善のため、とりわけ、感度低下、残留電位の上昇を防止する目的で、電荷発生層、電荷輸送層、下引き層、保護層、中間層等の各層に公知の酸化防止剤、可塑剤、滑剤、紫外線吸収剤およびレベリング剤を添加することができる。
【実施例】
【０１９７】
以下、本発明について実施例を挙げて説明するが、本発明はこれらの実施例により制約を受けるものではない。なお、「部」はすべて重量部である。
なお、実施例１〜１５、３２〜４６とあるのは、参考例１〜１５、３２〜４６とする。
【０１９８】
以下の実施例においては、電荷輸送層あるいは感光層の形成に前記一般式（１）で表されるナフタレンテトラカルボン酸ジイミド誘導体を用いるが、これらナフタレンテトラカルボン酸ジイミド誘導体は合成したものを用いた。代表として例示化合物Ｎｏ．２０（例示誘導体Ｎｏ．２０）の製造例、および同様にして製造した例示誘導体Ｎｏ．１、Ｎｏ．１０、Ｎｏ．１５について以下に示す。
【０１９９】
製造例１（例示誘導体Ｎｏ．２０）：
ナフタレン-1,4,5,8-テトラカルボン酸二無水物（東京化成試薬）２．６８ｇ（１０．０ｍｍｏｌ）、N,N’-ジメチルホルムアミド３０ｍｌに１，１−ジフェニルヒドラジン（東京化成試薬）３．６８ｇ（２０．０ｍｍｏｌ）を加え、アルゴン気流下、６０℃で２時間撹拌した。水１００ｍｌを加え、析出した結晶を濾過により採取し、減圧加熱乾燥器により乾燥して、褐色の粗結晶３．４３ｇ（収率５７．１％）を得た。これをシリカゲルカラム処理〔溶離液：トルエン／酢酸エチル（２０／１）vol混合溶媒〕し、トルエンにて再結晶、減圧加熱乾燥器により乾燥して、オレンジ赤色結晶の下記構造式（ａ）で表されるジイミド誘導体（例示誘導体Ｎｏ．２０）を７．０２ｇ（収率２９．７％）得た。
【０２００】
【化４６】
0005392461.tif 000052
【０２０１】
得られたジイミド誘導体（例示誘導体No．２０）の元素分析値は下記表６に示す通りであった。示差熱熱量同時測定装置ＴＧ／ＤＴＡ６２００（セイコーインスツルメンツ（株）製）にて窒素気流下、室温から毎分１０℃で昇温させたときの、ＴＧ減量を伴うＤＴＡの発熱ピーク点（分解点：分解温度）を測定したところ３４１℃であった。
【０２０２】
【表６】
0005392461.tif 000053
【０２０３】
製造例２〜４（例示化合物No．１、１０、１５の製造）：
製造例１と同様に操作して前記例示化合物No．１、１０、１５のナフタレンテトラカルボン酸ジイミド誘導体を製造した。得られたジイミド誘導体の収率、分解温度、および元素分析値を下記表７に示す。
【０２０４】
【表７】
0005392461.tif 000054
【０２０５】
（実施例１）
直径３０ｍｍ、長さ３４０ｍｍのアルミニウムドラム上に、下記組成の下引き層塗工液、電荷発生層塗工液、および電荷輸送層塗工液を、浸漬塗工法によって順次塗布、乾燥し、４．５μｍの下引き層、０．２μｍの電荷発生層、２８μｍの電荷輸送層を形成して感光体を作製した（感光体Ｎｏ．１）。
【０２０６】
〈下引き層塗工液〉
二酸化チタン粉末（石原産業製、タイベークＣＲ−ＥＬ）：４００部
メラミン樹脂（大日本インキ製、スーパーベッカミンG821-60）：６５部
アルキッド樹脂（大日本インキ製、ベッコライトM6401-50）：１２０部
２−ブタノン：４００部
【０２０７】
〈電荷発生層塗工液〉
Ｘ型無金属フタロシアニン（ＦａｓｔｏｇｅｎＢｌｕｅ8120B；
大日本インキ化学工業製）：１０部
ポリビニルブチラール（ユニオンカーバイド製、ＸＹＨＬ）：５部
２−ブタノン：２００部
シクロヘキサノン：４００部
【０２０８】
〈電荷輸送層塗工液〉
ポリカーボネート樹脂（パンライトＴＳ−２０５０：帝人化成製）：１２部
例示化合物Ｎｏ．４のナフタレンテトラカルボン酸ジイミド誘導体：１２部
テトラヒドロフラン：１００部
シリコーンオイル（信越化学工業製ＫＦ５０−１００ＣＳ）：０．０２部
【０２０９】
以上のように作製した電子写真感光体を、実装用とした後、電子写真プロセス用カートリッジに装着し、帯電方式を正帯電方式に変更したリコー製ＩＰＳｉＯ ＣＸ８２００改造機にて、暗部電位７５０（Ｖ）に設定した後、連続してトータル８万枚印刷相当の繰り返し試験を行った。その際、初期、および繰り返し試験後の明部電位（＝全面黒画像書込み時の露光部電位）の測定を行った。また併せて、初期画像および繰り返し試験後の画像のドット解像度について、６００ｄｐｉ×６００ｄｐｉの画素密度で画像濃度が５％のドット画像を連続１０枚プリントアウトし、そのドット形状を実体顕微鏡で観察して、輪郭のシャープネスを以下のドット画像評価基準で５段階（５が優れ１が劣る）に分けて評価した。結果を下記表８に示す。
【０２１０】
＜ドット画像評価基準＞
５：輪郭が明瞭で、良好。
４：輪郭のぼやけが極めてごく僅かに観察されるが、良好。
３：輪郭のぼやけがごく僅かに観察されるが実質的に良好。
２：輪郭のぼやけが観察され、画像の種類によっては問題となる。
１：ドット画像の判別できない。もしくはドット画像が形成できていない。
【０２１１】
（実施例２〜１５）
実施例１において、電荷輸送層塗工液で用いた例示化合物Ｎｏ．４のナフタレンテトラカルボン酸ジイミド誘導体を、それぞれ下記表８に示した化合物に変えて用いた以外は、すべて実施例１と同様にして、実施例２〜１５の電子写真感光体Ｎｏ．２〜１５を作製し、実施例１と同様に評価した。実施例２〜１５の結果を同様に下記表８に示す。
【０２１２】
【表８】
0005392461.tif 000055
【０２１３】
（実施例１６）
先ず、実施例１６における感光層の電荷発生物質として用いるオキソチタニウムフタロシアニンを以下のようにして製造した。
〔オキソチタニウムフタロシアニンの製造〕：
特開２００１−０１９８７１号公報記載の合成例４と同様に、１，３−ジイミノイソインドリン２９．２ｇとスルホラン２００ｍｌを混合し、窒素気流下でチタニウムテトラブトキシド２０．４ｇを滴下した。滴下終了後、徐々に１８０℃まで昇温して、反応温度を１７０℃〜１８０℃の間に保ちながら５時間撹拌して反応を行った。反応終了後、放冷した後析出物を濾過し、クロロホルムで粉体が青色になるまで洗浄し、次にメタノールで数回洗浄し、さらに８０℃の熱水で数回洗浄した後乾燥し、粗チタニルフタロシアニンを得た。粗チタニルフタロシアニンを２０倍量の濃硫酸に溶解し、１００倍量の氷水に撹拌しながら滴下し、析出した結晶を濾過、次いで洗浄液が中性になるまで水洗を繰り返し、チタニルフタロシアニン顔料のウェットケーキを得た。このケーキの乾燥品（オキソチタニウムフタロシアニン）のＸ線回析スペクトル（粉末ＸＤスペクトル）を図１２に示す。得られたウェットケーキ２ｇを二硫化炭素２０ｇに投入し、４時間撹拌を行った。これにメタノール１００ｇを追加して、１時間撹拌を行った後、濾過を行い、乾燥してオキソチタニウムフタロシアニン結晶粉末を得た。
【０２１４】
次に、直径３０ｍｍ、長さ３４０ｍｍのアルミニウムドラム上に、下記組成の感光層用塗工液を、塗布、乾燥することにより、３０μｍの単層感光層を形成し電子写真感光体を得た（感光体Ｎｏ．１６）。
【０２１５】
〈感光層用塗工液〉
前記方法で作製したオキソチタニウムフタロシアニン：１部
下記構造式（I）で表される電荷輸送物質Ｎｏ．１：３０部
例示化合物Ｎｏ．７のナフタレンテトラカルボン酸ジイミド誘導体：２０部
ポリカーボネート樹脂（パンライトＴＳ−２０５０、帝人化成製）：５０部
テトラヒドロフラン：４００部
シリコーンオイル（信越化学工業製ＫＦ５０−１００ＣＳ）：０．０８部
【０２１６】
【化４７】
0005392461.tif 000056
【０２１７】
以上のように作製した電子写真感光体を、実装用とした後、実施例１と同様にして評価した。実施例１６の評価結果を下記表９に示す。
【０２１８】
（実施例１７〜１９）
実施例１６で用いた例示化Ｎｏ．７のナフタレンテトラカルボン酸ジイミド誘導体を下記表９に示すものに代えた他は実施例１６と同様にして実施例１７〜１９の電子写真感光体を作製し、これを実装用とした後、実施例１と同様にして評価した。実施例１７〜１９の評価結果を同様に下記表９に示す。
【０２１９】
【表９】
0005392461.tif 000057
【０２２０】
（実施例２０）
実施例１６で用いた電荷輸送物質Ｎｏ．１に代えて、下記構造式（II）で表される電荷輸送物質Ｎｏ．２に代えた他は実施例１６と同様にして実施例２０の電子写真感光体を作製し、実装用とした後、実施例１と同様にして評価した。実施例２０の評価結果を下記表１０に示す。
【０２２１】
【化４８】
0005392461.tif 000058
【０２２２】
（実施例２１〜２３）
実施例２０で用いた例示化合物Ｎｏ．７のナフタレンテトラカルボン酸ジイミド誘導体を、それぞれ下記表１０に示すものに代えた他は実施例２０と同様にして実施例２１〜２３の電子写真感光体を作製し、これを実装用とした後、実施例１と同様にして評価した。実施例２１〜２３の評価結果を下記表１０に示す。
【０２２３】
【表１０】
0005392461.tif 000059
【０２２４】
（実施例２４）
実施例１６において電荷輸送物質Ｎｏ．１に代えて、下記構造式（III）で表される電荷輸送物質Ｎｏ．３に代えた他は実施例１６と同様にして実施例２４の電子写真感光体を作製し、実装用とした後、実施例１と同様にして評価した。実施例２４の評価結果を下記表１１に示す。
【０２２５】
【化４９】
0005392461.tif 000060
【０２２６】
（実施例２５〜２７）
実施例２４で用いた例示化合物Ｎｏ．７のナフタレンテトラカルボン酸ジイミド誘導体を、それぞれ下記表１１に示すものに代えた他は実施例２４と同様にして実施例２５〜２７の電子写真感光体を作製し、これを実装用とした後、実施例１と同様にして評価した。実施例２５〜２７の評価結果を下記表１１に示す。
【０２２７】
【表１１】
0005392461.tif 000061
【０２２８】
（実施例２８）
実施例１６で用いた電荷輸送物質Ｎｏ．１に代えて、下記構造式（IV）で表される電荷輸送物質Ｎｏ．４に代えた他は実施例１６と同様にして実施例２８の電子写真感光体を作製し、実装用とした後、実施例１と同様にして評価した。実施例２８の評価結果を下記表１２に示す。
【０２２９】
【化５０】
0005392461.tif 000062
【０２３０】
（実施例２９〜３１）
実施例２８で用いた例示化合物Ｎｏ．７のナフタレンテトラカルボン酸ジイミド誘導体を、それぞれ下記表１２に示すものに代えた他は実施例２８と同様にして実施例２９〜３１の電子写真感光体を作製し、実装用とした後、実施例１と同様にして評価した。実施例２９〜３１の評価結果を下記表１２に示す。
【０２３１】
【表１２】
0005392461.tif 000063
【０２３２】
（実施例３２）
直径３０ｍｍ、長さ２５６ｍｍのアルミニウムドラム上に、実施例１と同様の組成の下引き層塗工液、電荷発生層塗工液、および電荷輸送層塗工液を、浸漬塗工法によって順次塗布、乾燥し、３．５μｍの下引き層、０．２μｍの電荷発生層、２９μｍの電荷輸送層を形成して感光体を作製した（感光体Ｎｏ．３２）。
【０２３３】
この電子写真感光体を、実装用とした後、電子写真プロセス用カートリッジに装着し、帯電方式を正帯電方式に変更したリコー製ＩＰＳｉＯ  ＣＸ４００改造機（中間転写ベルトへの一転写後、転写紙へ二次転写するプロセス方式を採用）にて、暗部電位５５０（Ｖ）に設定した後、連続してトータル８万枚印刷相当の繰り返し試験を行った。その際、初期、および繰り返し試験後の明部電位（＝全面黒画像書込み時の露光部電位）の測定を行った。また併せて、初期画像及び繰り返し試験後の画像のドット解像度について、６００ｄｐｉ×６００ｄｐｉの画素密度で画像濃度が５％のドット画像を連続１０枚プリントアウトし、そのドット形状を実体顕微鏡で観察して、輪郭のシャープネスを以下の基準で５段階（５が優れ１が劣る）に分けて評価した。結果を下記表１３に示す。
【０２３４】
（ドット画像評価基準）
５：輪郭が明瞭で、良好。
４：輪郭のぼやけが極めてごく僅かに観察されるが、良好。
３：輪郭のぼやけがごく僅かに観察されるが実質的に良好。
２：輪郭のぼやけが観察され、画像の種類によっては問題となる。
１：ドット画像の判別できない。もしくはドット画像が形成できていない。
【０２３５】
（実施例３３〜４６）
実施例３２で用いた例示化合物Ｎｏ．４のナフタレンテトラカルボン酸ジイミド誘導体を、それぞれ下記表１３に示すものに代えた他は全て実施例３２と同様にして実施例３３〜４６の電子写真感光体を作製し、これを実装用とした後、実施例３２と同様にして評価した。実施例３３〜４６の評価結果を下記表１３に示す。
【０２３６】
【表１３】
0005392461.tif 000064
【０２３７】
（実施例４７）
直径３０ｍｍ、長さ２５６ｍｍのアルミニウムドラム上に、実施例１６で用いたものと同様の組成の感光層用塗工液を、塗布、乾燥することにより、３１μｍの単層感光層を形成し電子写真感光体を得た（感光体Ｎｏ．４７）。このように作製した電子写真感光体を、実装用とした後、実施例３２と同様にして評価した。実施例４７の評価結果を下記表１４に示す。
【０２３８】
（実施例４８〜５０）
実施例４７で用いた例示化合物Ｎｏ．７のナフタレンテトラカルボン酸ジイミド誘導体を、それぞれ下記表１４に示すものに代えた他は実施例４７と同様にして実施例４８〜５０の電子写真感光体を作製し、実装用とした後、実施例３２と同様にして評価した。実施例４８〜５０の評価結果を下記表１４に示す。
【０２３９】
【表１４】
0005392461.tif 000065
【０２４０】
（実施例５１）
実施例４７において用いた前記構造式（I）で表される電荷輸送物質Ｎｏ．１に代えて、前記構造式（II）で表される電荷輸送物質Ｎｏ．２に代えた他は実施例４７と同様にして実施例５１の電子写真感光体を作製し、実装用とした後、実施例３２と同様にして評価した。実施例５１の評価結果を下記表１５に示す。
【０２４１】
（実施例５２〜５４）
実施例５１で用いた例示化合物Ｎｏ．７のナフタレンテトラカルボン酸ジイミド誘導体を下記表１５に示すものに代えた他は実施例５１と同様にして実施例５２〜５４の電子写真感光体を作製し、実装用とした後、実施例３２と同様にして評価した。実施例５２〜５４の評価結果を下記表１５に示す。
【０２４２】
【表１５】
0005392461.tif 000066
【０２４３】
（実施例５５）
実施例４７において用いた前記構造式（I）で表される電荷輸送物質Ｎｏ．１に代えて、前記構造式（III）で表される電荷輸送物質Ｎｏ．３に代えた他は実施例４７と同様にして実施例５５の電子写真感光体を作製し、実装用とした後、実施例３２と同様にして評価した。実施例５５の評価結果を下記表１６に示す。
【０２４４】
（実施例５６〜５８）
実施例５５で用いた例示化合物Ｎｏ．７のナフタレンテトラカルボン酸ジイミド誘導体を下記表１６に示すものに代えた他は実施例５５と同様にして実施例５６〜５８の電子写真感光体を作製し、実装用とした後、実施例３２と同様にして評価した。実施例５６〜５８の評価結果を下記表１６に示す。
【０２４５】
【表１６】
0005392461.tif 000067
【０２４６】
（実施例５９）
実施例４７において用いた前記構造式（I）で表される電荷輸送物質Ｎｏ．１に代えて、前記構造式（IV）で表される電荷輸送物質Ｎｏ．４に代えた他は実施例４７と同様にして実施例５９の電子写真感光体を作製し、実装用とした後、実施例３２と同様にして評価した。実施例５９の評価結果を下記表１７に示す。
【０２４７】
（実施例６０〜６２）
実施例５９で用いた例示化合物Ｎｏ．７のナフタレンテトラカルボン酸ジイミド誘導体を下記表１７に示すものに代えた他は実施例５９と同様にして実施例６０〜６２の電子写真感光体を作製し、実装用とした後、実施例３２と同様にして評価した。実施例６０〜６２の評価結果を下記表１７に示す。
【０２４８】
【表１７】
0005392461.tif 000068
【０２４９】
（実施例６３）
実施例１において、電荷輸送層塗工液を、
ポリカーボネート樹脂（パンライトＴＳ−２０５０：帝人化成製）：１５部
例示化合物Ｎｏ．４のナフタレンテトラカルボン酸ジイミド誘導体：９部
と変更した以外は、すべて実施例１と同様にして、電子写真感光体Ｎｏ．６３を作製し、実施例１と同様に評価した。評価結果を下記表１８に示す。
【０２５０】
（実施例６４）
実施例１６において、構造式（Ｉ）で表される電荷輸送物質Ｎｏ．1：３０部を２５部と変更し、例示化合物Ｎｏ.1のナフタレンテトラカルボン酸ジイミド誘導体：２０部を１５部と変更し、さらにポリカーボネート樹脂（パンライトＴＳ−２０５０、帝人化成製）：５０部を６０部と変更した以外は、すべて実施例１６と同様にして、電子写真感光体Ｎｏ．６４を作製し、実施例１６と同様に評価した。評価結果を下記表１８に示す。
【０２５１】
（実施例６５）
実施例３２において、電荷輸送層塗工液の組成を実施例６３で用いたものに変更した以外は、すべて実施例３２と同様にして、電子写真感光体Ｎｏ．６５を作製し、実施例３２と同様に評価した。評価結果を下記表１８に示す。
【０２５２】
（実施例６６）
実施例４７において、感光層塗工液の組成を実施例６４で用いたものに変更した以外は、すべて実施例４７と同様にして、電子写真感光体Ｎｏ．６６を作製し、実施例４７と同様に評価した。評価結果を下記表１８に示す。
【０２５３】
【表１８】
0005392461.tif 000069
【０２５４】
（比較例１）
実施例１において用いた例示化合物Ｎｏ．４のナフタレンテトラカルボン酸ジイミド誘導体を下記構造式（V）の比較化合物１に変えた以外は、すべて実施例１と同様にして、比較例１の電子写真感光体（比較電子写真感光体Ｎｏ．１）を作製し、実施例１と同様に評価した。比較例１の評価結果を下記表１９に示す。
【０２５５】
【化５１】
0005392461.tif 000070
【０２５６】
（比較例２）
実施例１において、用いた例示化合物Ｎｏ．４のナフタレンテトラカルボン酸ジイミド誘導体を下記構造式（VI）の比較化合物２に代えた以外は、すべて実施例１と同様にして、比較例２の電子写真感光体（比較電子写真感光体Ｎｏ．２）を作製し、実施例１と同様に評価した。比較例２の評価結果を下記表１９に示す。
【０２５７】
【化５２】
0005392461.tif 000071
【０２５８】
（比較例３）
実施例１６において用いた例示化合物Ｎｏ．７のナフタレンテトラカルボン酸ジイミド誘導体を下記構造式（VII）の比較化合物３に代えた以外は、すべて実施例１６と同様にして、比較例３の電子写真感光体（比較電子写真感光体Ｎｏ．３）を作製し、実施例１６と同様に評価した。比較例３の評価結果を下記表１９に示す。
【０２５９】
【化５３】
0005392461.tif 000072
【０２６０】
（比較例４）
実施例１６において用いた例示化合物Ｎｏ．７のナフタレンテトラカルボン酸ジイミド誘導体を下記構造式（VIII）の比較化合物４に代えた以外は、すべて実施例１６と同様にして、比較例４の電子写真感光体（比較電子写真感光体Ｎｏ．４）を作製し、実施例１６と同様に評価した。比較例４の評価結果を下記表１９に示す。
【０２６１】
【化５４】
0005392461.tif 000073
【０２６２】
（比較例５）
実施例１６において用いた例示化合物Ｎｏ．７のナフタレンテトラカルボン酸ジイミド誘導体を下記構造式（IX）の比較化合物５に代えた以外は、すべて実施例１６と同様にして、比較例５の電子写真感光体（比較電子写真感光体Ｎｏ．５）を作製し、実施例１６と同様に評価した。比較例５の評価結果を下記表１９に示す。
【０２６３】
【化５５】
0005392461.tif 000074
【０２６４】
（比較例６）
実施例３２において用いた例示化合物Ｎｏ．４のナフタレンテトラカルボン酸ジイミド誘導体を前述の構造式（V）で表される比較化合物１に変えた以外は、すべて実施例３２と同様にして、比較例６の電子写真感光体（比較電子写真感光体Ｎｏ．６）を作製し、実施例３２と同様に評価した。比較例６の評価結果を下記表１９に示す。
【０２６５】
（比較例７）
実施例３２において用いた例示化合物Ｎｏ．４のナフタレンテトラカルボン酸ジイミド誘導体を前述の構造式（VI）で表される比較化合物２に変えた以外は、すべて実施例３２と同様にして、比較例６の電子写真感光体（比較電子写真感光体Ｎｏ．７）を作製し、実施例３２と同様に評価した。比較例７の評価結果を下記表１９に示す。
【０２６６】
（比較例８）
実施例４７において用いた例示化合物Ｎｏ．７のナフタレンテトラカルボン酸ジイミド誘導体を前述の構造式（VII）で表される比較化合物３に代えた以外は、すべて実施例４７と同様にして、比較例８の電子写真感光体（比較電子写真感光体Ｎｏ．８）を作製し、実施例４７と同様に評価した。比較例８の評価結果を下記表１９に示す。
【０２６７】
（比較例９）
実施例４７において用いた例示化合物Ｎｏ．７のナフタレンテトラカルボン酸ジイミド誘導体を前述の構造式（VIII）で表される比較化合物４に代えた以外は、すべて実施例４７と同様にして、比較例９の電子写真感光体（比較電子写真感光体Ｎｏ．９）を作製し、実施例４７と同様に評価した。比較例９の評価結果を下記表１９に示す。
【０２６８】
（比較例１０）
実施例４７において用いた例示化合物Ｎｏ．７のナフタレンテトラカルボン酸ジイミド誘導体を前述の構造式（IX）で表される比較化合物５に代えた以外は、すべて実施例４７と同様にして、比較例１０の電子写真感光体（比較電子写真感光体Ｎｏ．１０）を作製し、実施例４７と同様に評価した。比較例１０の評価結果を下記表１９に示す。
【０２６９】
【表１９】
0005392461.tif 000075
【０２７０】
上記表８〜表１９に示した評価結果からわかるように、本発明のナフタレンテトラカルボン酸ジイミド誘導体を含有した感光体を用いたフルカラー画像形成装置は初期は元より８万枚印刷相当の繰り返し試験後においても比較例に比べて高画質画像が安定して得られることが確認された。
すなわち、本発明の感光体は高耐久であり、これを搭載したフルカラー電子写真装置は、繰返し使用においても異常画像の発生がなく、品質の安定したフルカラー画像を形成することができる。
【図面の簡単な説明】
【０２７１】
【図１】本発明に係る画像形成要素を複数具備してなるフルカラー電子写真装置における画像形成要素の構成例を示す模式断面図である。
【図２】本発明に係る画像形成要素を複数具備してなるフルカラー電子写真装置の一例を説明するための模式断面図である。
【図３】本発明に係るフルカラー電子写真装置の画像形成要素がカートリッジである例を示す模式断面図である。
【図４】本発明に係る画像形成要素を複数具備してなるフルカラー電子写真装置の別の例を示す模式断面図である。
【図５】本発明に係る画像形成要素を複数具備してなるフルカラー電子写真装置のさらに別の例を示す模式断面図である。
【図６】本発明に係るフルカラー電子写真装置に用いられる感光体の一構成例を示す断面図である。
【図７】本発明に係るフルカラー電子写真装置で用いられる感光体の別の構成例を示す断面図である。
【図８】本発明に係るフルカラー電子写真装置で用いられる感光体のさらに別の構成例を示す断面図である。
【図９】本発明に係るフルカラー電子写真装置で用いられる感光体の他の構成例を示す断面図である。
【図１０】本発明に係るフルカラー電子写真装置で用いられる感光体のさらに他の構成例を示す断面図である。
【図１１】本発明に係るフルカラー電子写真装置で用いられる感光体のさらにまた他の構成例を示す断面図である。
【図１２】本発明の実施例において製造したオキソチタニウムフタロシアニンのＸ線回折スペクトル（粉末ＸＤスペクトル）を示す図である。
【符号の説明】
【０２７２】
（図１の符号）
１  感光体
２  帯電装置
３  露光装置
４  現像装置
５  転写装置
７  クリーニング装置
９  除電装置
１０  トナー
１１  受像媒体
（図２の符号）
１Ｙ，１Ｍ，１Ｃ，１Ｂｋ  感光体
２Ｙ，２Ｍ，２Ｃ，２Ｂｋ  帯電装置
３Ｙ，３Ｍ，３Ｃ，３Ｂｋ  像露光装置（露光装置）
４Ｙ，４Ｍ，４Ｃ，４Ｂｋ  現像装置
５Ｙ，５Ｍ，５Ｃ，５Ｂｋ  転写装置
６  定着装置
７Ｙ，７Ｍ，７Ｃ，７Ｂｋ  クリーニング装置
９Ｙ，９Ｍ，９Ｃ，９Ｂｋ  除電装置
１０Ｙ，１０Ｍ，１０Ｃ，１０Ｂｋ  トナー
１１  受像媒体
（図３の符号）
１１  感光体
１２  帯電装置
１３  露光装置
１４  現像装置
１６  転写装置
１７  クリーニング装置
１Ａ  除電装置
１８  受像媒体
（図４の符号）
１１Ｙ，１１Ｍ、１１Ｃ、１１Ｂｋ  感光体
１２Ｙ，１２Ｍ、１２Ｃ、１２Ｂｋ  帯電手段
１３Ｙ，１３Ｍ、１３Ｃ、１３Ｂｋ  露光手段
１４Ｙ，１４Ｍ、１４Ｃ、１４Ｂｋ  現像手段
１６Ｙ，１６Ｍ、１６Ｃ、１６Ｂｋ  転写手段
１７Ｙ，１７Ｍ、１７Ｃ、１７Ｂｋ  クリーニング手段
１８  受像媒体
１９  定着手段
１Ｃ  駆動手段
１Ｇ  搬送転写体
（図５の符号）
１１Ｙ，１１Ｍ、１１Ｃ、１１Ｂｋ  感光体
１２Ｙ，１２Ｍ、１２Ｃ、１２Ｂｋ  帯電手段
１３Ｙ，１３Ｍ、１３Ｃ、１３Ｂｋ  露光手段
１４Ｙ，１４Ｍ、１４Ｃ、１４Ｂｋ  現像手段
１７Ｙ，１７Ｍ、１７Ｃ、１７Ｂｋ  クリーニング手段
１８  受像媒体
１９  定着手段
１Ｃ  駆動手段
１Ｄ  第１の転写手段
１Ｅ  第２の転写手段
１Ｆ  中間転写体
（図６〜図１１の符号）
３１  導電性支持体
３３  感光層
３５  電荷発生層
３７  電荷輸送層
３９  保護層
【図１】
0005392461.tif 000089
【図２】
0005392461.tif 000090
【図３】
0005392461.tif 000091
【図４】
0005392461.tif 000092
【図５】
0005392461.tif 000093
【図６】
0005392461.tif 000094
【図７】
0005392461.tif 000095
【図８】
0005392461.tif 000096
【図９】
0005392461.tif 000097
【図１０】
0005392461.tif 000098
【図１１】
0005392461.tif 000099
【図１２】
0005392461.tif 000100